(57)【特許請求の範囲】
【請求項１】
式（１）の少なくとも２つの構成要素を含むポリウレタンのポリ有機シロキサン化合物であって、
【化１】
0005624883.tif 000050
式中、Ｙ１およびＹ２はそれぞれ−ＮＨ−であり、
ＳＴ１は、１，０００個までの炭素原子を有し、−Ｏ−、−Ｃ（Ｏ）−、−ＮＨ−、−ＮＲ３、
【化２】
0005624883.tif 000051
および２〜１，０００個のシリコン原子を有するポリ有機シロキサン単位から選ばれる１以上の基を含んでもよい、二価から二価以上の直鎖、環状または分岐状の、飽和、不飽和または芳香族、置換または非置換の炭化水素基から選ばれ、
式中、Ｒ３は４０個までの炭素原子を有する、−Ｏ−、−Ｃ（Ｏ）−、−ＮＨ−から選ばれる１以上の基を含んでもよい、直鎖、環状または分岐状の、飽和、不飽和または芳香族炭化水素基であり、
Ｒ５は１００個までの炭素原子を有する、−Ｏ−、−Ｃ（Ｏ）−、−ＮＨ−から選ばれる１以上の基を含んでもよい、直鎖、環状または分岐状の、飽和、不飽和または芳香族炭化水素基であり、
ＳＴ２は下記式で表される基であり、

−ＳＴ３−Ｎ＋（Ｒ５）２−ＳＴ４−Ｎ＋（Ｒ５）２−ＳＴ３−

式中、Ｒ５は上記で定義される通りであり、
ＳＴ３は２〜１００の炭素原子を有する、−Ｏ−、−Ｃ（Ｏ）−、−ＮＨ−、−ＮＲ３により置換されてもよい、直鎖、環状または分岐状の、飽和、不飽和または芳香族、置換または非置換炭化水素基であり、
Ｒ３は上記で定義される通りであり、
ＳＴ４は２〜１００の炭素原子を有する、−Ｏ−、−Ｃ（Ｏ）−、−ＮＨ−、−ＮＲ３により置換されてもよく、２〜２００のシリコン原子を有するポリ有機シロキサン単位により置換されてもよい、直鎖、環状または分岐状の、飽和、不飽和または芳香族、置換または非置換炭化水素基であり、
式中Ｒ３は上記で定義される通りであり、
式中、複数のＳＴ１基が存在する場合は、これらは同一であっても異なっていてもよく、複数のＳＴ２基が存在する場合は、これらは同一であっても異なっていてもよく、
ＳＴ１は、ポリアルキルエノキシ基を含む基を表し、ＳＴ２は、ポリ有機シロキサン基を含む基を表し、
または、
ＳＴ１は、ポリ有機シロキサン基を含む基を表し、ＳＴ４は、ポリエーテル基を含む基を表し、
または、
そのようなポリウレタンのポリ有機シロキサンの酸添加化合物および／またはそれらの塩であることを特徴とするポリウレタンのポリ有機シロキサン化合物。
【請求項２】
請求項１に記載のポリウレタンのポリ有機シロキサン化合物において、
前記ポリウレタンは、直鎖状であり、
ＳＴ１およびＳＴ２はどの場合も二価の基であることを特徴とするポリウレタンのポリ有機シロキサン化合物。
【請求項３】
請求項１に記載のポリウレタンのポリ有機シロキサン化合物において、
前記ポリウレタンは、分岐状であり、
基ＳＴ１およびＳＴ２の少なくとも１つは三価または四価であることを特徴とするポリウレタンのポリ有機シロキサン化合物。
【請求項４】
請求項１から請求項３のいずれか１つに記載のポリウレタンのポリ有機シロキサン化合物において、
少なくとも１つの式（２）のポリ有機シロキサン構成要素を含み、
【化３】
0005624883.tif 000052
式中、Ｒ４は、２０個までの炭素原子を有する、直鎖、環状または分岐状の、飽和、不飽和または芳香族炭化水素基であり、ｓは１〜９９９であることを特徴とするポリウレタンのポリ有機シロキサン化合物。
【請求項５】
請求項４に記載のポリウレタンのポリ有機シロキサン化合物において、
少なくとも２つの前記式（２）のポリ有機シロキサン構成要素を含むことを特徴とするポリウレタンのポリ有機シロキサン化合物。
【請求項６】
請求項１から請求項５のいずれか１つに記載のポリウレタンのポリ有機シロキサン化合物において、
ＳＴ１＝ＳＴ２であり、前記ＳＴ１および前記ＳＴ２はどの場合も二価であることを特徴とするポリウレタンのポリ有機シロキサン化合物。
【請求項７】
請求項１から請求項５のいずれか１つに記載のポリウレタンのポリ有機シロキサン化合物において、
ＳＴ１≠ＳＴ２であることを特徴とするポリウレタンのポリ有機シロキサン化合物。
【請求項８】
請求項１から請求項７のいずれか１つに記載のポリウレタンのポリ有機シロキサン化合物において、
ＳＴ１は次式であることを特徴とするポリウレタンのポリ有機シロキサン化合物。
【化４】
0005624883.tif 000053
（式中、ｓは１〜９９９であり、ｒは１〜１２である。）
【請求項９】
請求項１から請求項８のいずれか１つに記載のポリウレタンのポリ有機シロキサン化合物において、
ＳＴ１は、
１５個までの炭素原子を有する二価の直鎖炭化水素基と、
１５個までの炭素原子を有する二価の単環または多環炭化水素基と、
１５個までの炭素原子を有する二価の芳香族炭化水素基と、
二価または二価以上の基であって、第一級および第二級アミノ官能化プレポリマーに由来する基とからなる群から選ばれることを特徴とするポリウレタンのポリ有機シロキサン化合物。
【請求項１０】
請求項１から請求項９のいずれか１つに記載のポリウレタンのポリ有機シロキサン化合物において、
ＳＴ１はポリアルキルエノキシ基を含む基を表し、
ＳＴ２はポリ有機シロキサン基を含む基を表すことを特徴とするポリウレタンのポリ有機シロキサン化合物。
【請求項１１】
請求項１から請求項１０のいずれか１つに記載のポリウレタンのポリ有機シロキサン化合物の生成方法であって、
下記式で表される化合物
【化５】
0005624883.tif 000054
（式中、ＳＴ５およびＳＴ６は−ＣＨ２−であり、Ｙ１およびＳＴ１は上記で定義される通り）と、
下記式の化合物、
ＨＹ２−ＳＴ３−ＮＲ５２
（式中、ＳＴ３、Ｙ２およびＲ５は上記で定義された通り）と、
下記式の化合物、
Ｑ−ＳＴ４Ｖ−Ｑ
（式中、
Ｑはアミノ基をアルキル化することができる基であり、
ＳＴ４Ｖは四級化反応後のＱ由来の分子部分とともに、基ＳＴ４を形成するものであり、
ＳＴ４は２〜１００の炭素原子を有する、−Ｏ−、−Ｃ（Ｏ）−、−ＮＨ−、−ＮＲ３により置換されてもよく、２〜２００のシリコン原子を有するポリ有機シロキサン単位により置換されてもよい、直鎖、環状または分岐状の、飽和、不飽和または芳香族、置換または非置換炭化水素基であり、
式中Ｒ３は上記で定義される通りであり）と、を反応させることを含み、
基ＳＴ１、ＳＴ３および／またはＳＴ４の少なくとも１つはポリ有機シロキサン基を含むことを特徴とする生成方法。
【請求項１２】
請求項１１に記載のポリウレタンのポリ有機シロキサン化合物の生成方法において、
Ｑはエポキシ基およびハロアルキル基から選ばれることを特徴とする生成方法。
【請求項１３】
請求項１から請求項１０のいずれか１つに記載のポリウレタンのポリ有機シロキサン化合物において、
硬表面の塗料または表面改良剤の生成に用いられることを特徴とするポリウレタンのポリ有機シロキサン化合物。
【請求項１４】
請求項１から請求項１０のいずれか１つに記載のポリウレタンのポリ有機シロキサン化合物において、
繊維の生成に用いられることを特徴とするポリウレタンのポリ有機シロキサン化合物。
【請求項１５】
請求項１から請求項１０のいずれか１つに記載のポリウレタンのポリ有機シロキサン化合物において、
化粧品の生成に用いられることを特徴とするポリウレタンのポリ有機シロキサン化合物。
【請求項１６】
請求項１から請求項１０のいずれか１つに記載のポリウレタンのポリ有機シロキサン化合物において、
鋼鉄、アルミニウム、ガラス、および、プラスチックから選択される基材とシリコンエラストマーを接着させる下塗剤の生成に用いられることを特徴とするポリウレタンのポリ有機シロキサン化合物。
【請求項１７】
請求項１から請求項１０のいずれか１つに記載のポリウレタンのポリ有機シロキサン化合物において、
熱可塑性プラスチックのための変性剤の生成に用いられることを特徴とするポリウレタンのポリ有機シロキサン化合物。
【請求項１８】
請求項１から請求項１０のいずれか１つに記載のポリウレタンのポリ有機シロキサン化合物において、
低温衝撃改質剤の生成に用いられることを特徴とするポリウレタンのポリ有機シロキサン化合物。
【請求項１９】
請求項１から請求項１０のいずれか１つに記載のポリウレタンのポリ有機シロキサン化合物を少なくとも１つ含むことを特徴とする洗剤製剤。
【請求項２０】
請求項１から請求項１０のいずれか１つに記載のポリウレタンのポリ有機シロキサン化合物を少なくとも１つ含むことを特徴とする化粧品製剤。
【請求項２１】
請求項１から請求項１０のいずれか１つに記載のポリウレタンのポリ有機シロキサン化合物を少なくとも１つ含むことを特徴とする繊維処理用製剤。
【請求項２２】
少なくとも１つの下記式の化合物
【化６】
0005624883.tif 000055
（式中、ＳＴ５およびＳＴ６は−ＣＨ２−であり、
Ｙ１は−ＮＨ−であり、
ＳＴ１は、１，０００個までの炭素原子を有し、−Ｏ−、−Ｃ（Ｏ）−、−ＮＨ−、−ＮＲ３、
【化７】
0005624883.tif 000056
および２〜１，０００個のシリコン原子を有するポリ有機シロキサン単位から選ばれる１以上の基を含んでもよい、二価から二価以上の直鎖、環状または分岐状の、飽和、不飽和または芳香族、置換または非置換の炭化水素基から選ばれ、
Ｒ３は４０個までの炭素原子を有する、−Ｏ−、−Ｃ（Ｏ）−、−ＮＨ−から選ばれる１以上の基を含んでもよい、直鎖、環状または分岐状の、飽和、不飽和または芳香族炭化水素基であり、
Ｒ５は１００個までの炭素原子を有する、−Ｏ−、−Ｃ（Ｏ）−、−ＮＨ−から選ばれる１以上の基を含んでもよい、直鎖、環状または分岐状の、飽和、不飽和または芳香族炭化水素基であり）と、
少なくとも１つの下記式の化合物
ＨＹ２−ＳＴ３−ＮＲ５２
（式中、ＳＴ３は２〜１００の炭素原子を有する、−Ｏ−、−Ｃ（Ｏ）−、−ＮＨ−、−ＮＲ３により置換されてもよい、直鎖、環状または分岐状の、飽和、不飽和または芳香族、置換または非置換炭化水素基であり、
Ｒ３は上記で定義される通りであり、
式中、Ｙ２は−ＮＨ−であり、
Ｒ５は上記で定義される通りであり）と、
少なくとも１つの下記式の化合物
Ｑ−ＳＴ４Ｖ−Ｑ
（式中、Ｑはアミノ基をアルキル化することができる基であり、ＳＴ４Ｖは四級化反応後のＱ由来の分子部分とともに、基ＳＴ４を形成し、
ＳＴ４は２〜１００の炭素原子を有する、−Ｏ−、−Ｃ（Ｏ）−、−ＮＨ−、−ＮＲ３により置換されてもよく、２〜２００のシリコン原子を有するポリ有機シロキサン単位により置換されてもよい、直鎖、環状または分岐状の、飽和、不飽和または芳香族、置換または非置換炭化水素基であり、
Ｒ３は上記で定義される通りである）と、を含み、
ＳＴ１は、ポリアルキルエノキシ基を含む基を表し、ＳＴ２は、ポリ有機シロキサン基を含む基を表し、
または、
ＳＴ１は、ポリ有機シロキサン基を含む基を表し、ＳＴ４は、ポリエーテル基を含む基を表すことを特徴とする反応性組成物。
【請求項２３】
請求項２２に記載の反応性組成物を硬化させることによって得られる硬化物。
【請求項２４】
請求項２３に記載の硬化物において、
コーティングおよびエラストマーから選ばれることを特徴とする硬化物。
【発明の詳細な説明】
【技術分野】
【０００１】
本発明は、新規のポリウレタンのポリ有機シロキサン化合物、その生成方法、洗剤製剤、化粧品製剤、繊維処理用製剤、反応性組成物、並びに、硬化物に関する。
【背景技術】
【０００２】
第四級アンモニウム構造を含むシロキサンブロック共重合体が広く知られている。これらは、一方で、シロキサン／第四級アンモニウム単位の種類のジブロック共重合体であり得る（ドイツ特許出願公開第３３４０７０８号（特許文献１）、欧州特許出願公開第２８２７２０号（特許文献２）、米国特許第６２４０９２９号（特許文献３）、米国特許第６７３０７６６号（特許文献４））。他方、シロキサン／第四級アンモニウム単位／ポリエーテルブロックの組み合わせに基づくトリブロック共重合体が開発されてきた（国際公開第０２／１０２５６号（特許文献５）、国際公開第０２／１０２５７号（特許文献６）、国際公開第０２／１０２５９号（特許文献７）、国際公開第２００４／０９０００７号（特許文献８）、国際公開第０３／０７８５０４号（特許文献９）、国際公開第２００４／０４１９１２号（特許文献１０）、国際公開第２００４／０４２１３６号（特許文献１１））。これらトリブロック共重合体の最も重要な利点は、それらの構造が柔軟に、具体的な生産要件に合うように幅広い範囲内で変えられることである。
【０００３】
さらに、末端にアミノ基を有するシロキサンと炭化水素系ジイソシアネートを反応させて、尿素基を含有するジブロック共重合体とすることが知られている。類似ウレタン誘導体が同様に記載されている（米国特許公開公報第２００４／０８７７５２号（特許文献１２））。
【０００４】
英国特許出願公開第１１２８６４２号（特許文献１３）は尿素およびウレタン基を含有する第四級アンモニウム化合物を開示する。アミノ基またはヒドロキシル基を末端に有するシロキサンとジイソシアネートとの反応により、イソシアネートを末端に有する中間段階に至り、その後、例えば第一級および第三級のジアミンまたはトリアミンと反応し、その後、第三級アミノ基が四級化される。例えば、オリゴエチレングリコールを鎖長剤として用いることができるが、これはイソシアネート基を消費することになり、その後、イソシアネート基は第一級および第三級のジアミンとの反応にはもはや利用できない。結果的には、導かれる第四級アミノ基の量が低下する。このように、この解決方法の欠点は、具体的な生産要件に合うように幅広い範囲内で構造を柔軟に変えることができないことである。
【０００５】
さらに、カーボネート官能化シロキサンと第一級および第二級アミノ基またはヒドロキシル基を含有する炭化水素とを反応させて、シリコンまたは対応するウレタン基を含有するエステルとすることが知られている（米国特許第５６７２３３８号（特許文献１４）、米国特許第５６８６５４７号（特許文献１５）、ドイツ特許出願公開第１９５０５８９２号（特許文献１６））。
【０００６】
同様に、ウレタン基を含有するシロキサンで修飾されたジ第四級化合物の合成のために、連結基として非対称に置換されたカーボネートを使うことが提案されている（国際公開第２００５／０５８８６３号（特許文献１７））。
【０００７】
最後に、シロキサン単位を含むポリウレタンブロック共重合体の合成の際、アミノ塩単位を組み込み、これらの非対称に置換されたカーボネート「連結基」を使用することが記載されている（Ｃ．Ｎｏｖｉ、Ａ．Ｍｏｕｒｒａｎ、Ｈ．Ｋｅｕｌ、Ｍ．Ｍoｌｌｅｒ、「Ｍａｃｒｏｍｏｌ．Ｃｈｅｍ．Ｐｈｙｓ．」２００６年、２０７号、２７３〜２８６頁（非特許文献１））。
【先行技術文献】
【特許文献】
【０００８】
【特許文献１】ドイツ特許出願公開第３３４０７０８号
【特許文献２】欧州特許出願公開第２８２７２０号
【特許文献３】米国特許第６２４０９２９号
【特許文献４】米国特許第６７３０７６６号
【特許文献５】国際公開第０２／１０２５６号
【特許文献６】国際公開第０２／１０２５７号
【特許文献７】国際公開第０２／１０２５９号
【特許文献８】国際公開第２００４／０９０００７号
【特許文献９】国際公開第０３／０７８５０４号
【特許文献１０】国際公開第２００４／０４１９１２号
【特許文献１１】国際公開第２００４／０４２１３６号
【特許文献１２】米国特許公開公報第２００４／０８７７５２号
【特許文献１３】英国特許出願公開第１１２８６４２号
【特許文献１４】米国特許第５６７２３３８号
【特許文献１５】米国特許第５６８６５４７号
【特許文献１６】ドイツ特許出願公開第１９５０５８９２号
【特許文献１７】国際公開第２００５／０５８８６３号
【非特許文献】
【０００９】
【非特許文献１】Ｃ．Ｎｏｖｉ、Ａ．Ｍｏｕｒｒａｎ、Ｈ．Ｋｅｕｌ、Ｍ．Ｍoｌｌｅｒ、「Ｍａｃｒｏｍｏｌ．Ｃｈｅｍ．Ｐｈｙｓ．」２００６年、２０７号、２７３〜２８６頁
【発明の概要】
【発明が解決しようとする課題】
【００１０】
これらの化合物の欠点は、アミン塩の形態でしかペーハー感受性電荷を有さないことであり、持続性の低下という結果になる。
【００１１】
したがって、本発明の目的は、一方で、具体的な生産要件に合うように幅広い範囲内で構造を柔軟に変えることができ、また、他方では、必須製品特性がウレタン基によるドナー−アクセプタ相互作用より影響される、第四級アンモニウム基およびシロキサン単位を含むポリウレタンブロック共重合体を含むシロキサンブロック共重合体を発見することである。別の目的は、適切なシロキサン含有前駆体を発見することである。
【課題を解決するための手段】
【００１２】
本発明は、安定な前駆体から反応して、使用時に意図される方法で所望のポリカーボネートおよび／またはポリウレタンのポリ有機シロキサン化合物を提供する、新規のポリカーボネートおよび／またはポリウレタンのポリ有機シロキサン化合物を提供する。新規のポリカーボネートおよび／またはポリウレタンのポリ有機シロキサン化合物は容易に、確実に、意図される方法で生成でき、新規の興味深い特性を有する。
【００１３】
本発明は、式（１）の少なくとも１つの構成要素を含む新規のポリカーボネートおよび／またはポリウレタンのポリ有機シロキサン化合物に関する。
【００１４】
【化１】
0005624883.tif 000002
（１）
【００１５】
式中、Ｙ１およびＹ２はそれぞれ独立に−Ｏ−、−Ｓ−および−ＮＲ２−から選ばれ、
式中、Ｒ２は水素または４０までの炭素原子を有する、−Ｏ−、−Ｃ（Ｏ）−、−ＮＨ−および−ＮＲ３から選ばれる１以上の基を含んでもよい、直鎖、環状または分岐状の、飽和、不飽和または芳香族炭化水素基であり、Ｒ３は上記で定義される通りであり、
ＳＴ１およびＳＴ２はそれぞれ独立に、１，０００個までの炭素原子を有し、二価から二価以上、好ましくは四価の直鎖、環状または分岐状の、飽和、不飽和または芳香族、置換または非置換の炭化水素基から選ばれ、−Ｏ−、−Ｃ（Ｏ）−、−ＮＨ−、−ＮＲ３、
【００１６】
【化２】
0005624883.tif 000003
および２〜１，０００個のシリコン原子を有するポリ有機シロキサン単位から選ばれる１以上の基、を含み、
式中、Ｒ３は４０個までの炭素原子を有する、−Ｏ−、−Ｃ（Ｏ）−、−ＮＨ−から選ばれる１以上の基を含んでもよい、直鎖、環状または分岐状の、飽和、不飽和または芳香族炭化水素基であり、
Ｒ５は１００個までの炭素原子を有する、−Ｏ−、−Ｃ（Ｏ）−、−ＮＨ−から選ばれる１以上の基を含んでもよい、直鎖、環状または分岐状の、飽和、不飽和または芳香族炭化水素基であり、また、基ＳＴ１および／またはＳＴ２内に環状構造を形成する二価の基であり、
または、ＳＴ１とＳＴ１の近くのＹ１の一方か両方、および／または、ＳＴ２とＳＴ2
の近くのＹ２の一方か両方は、それぞれの場合、窒素含有複素環式基を形成することができ、
式中、複数のＳＴ１基が存在する場合は、これらは同一であっても異なっていてもよく、複数のＳＴ２基が存在する場合は、これらは同一であっても異なっていてもよく、
ＳＴ５は、適宜、１〜１２個の炭素原子を有する置換、二価、直鎖、環状または分岐状の、飽和または不飽和の炭化水素基であり、
ＳＴ６は、適宜、１〜１２個の炭素原子を有する置換、二価、直鎖、環状または分岐状の、飽和または不飽和の炭化水素基であり、  ただし、基ＳＴ１および／またはＳＴ２の少なくとも１つは、ポリ有機シロキサン基または酸添加化合物および／またはそれらの塩を含む。
【００１７】
本発明では、用語「酸添加化合物」は、分子中での塩基性基、特に、例えば、無機酸または有機酸と反応して適宜存在するアミノ基をプロトン化することにより得られる、特に塩様化合物を意味する。
【００１８】
本発明による化合物の塩は、特に、第四級アンモニウム基を含む化合物の形成から得られ、特に第四級アンモニウム基として次の基
【００１９】
【化３】
0005624883.tif 000004
を含む。
【００２０】
ＳＴ１とＳＴ１の近くのＹ１の一方か両方、および／または、ＳＴ２とＳＴ2の近くの
Ｙ２の一方か両方が、それぞれ、窒素含有複素環式基を形成することができる場合の例としては、特に環状ジアミン（例えば、ピペラジン）の使用による場合であり、構成要素−Ｙ−ＳＴ−Ｙ−（ここで、Ｙ＝Ｙ１またはＹ２、およびＳＴ＝ＳＴ１またはＳＴ２）は、例えば以下のような構造を有することとなる。
【００２０】
ＳＴ１とＳＴ１の近くのＹ１の一方か両方、および／または、ＳＴ２とＳＴ１の近くのＹ２の一方か両方が、それぞれ、窒素含有複素環式基を形成することができる場合の例としては、特に環状ジアミン（例えば、ピペラジン）の使用による場合であり、構成要素−Ｙ−ＳＴ−Ｙ−（ここで、Ｙ＝Ｙ１またはＹ２、およびＳＴ＝ＳＴ１またはＳＴ２）は、例えば以下のような構造を有することとなる。
【００２１】
【化４】
0005624883.tif 000005
【００２２】
この変形には、複素環式構造がＹ基を１つだけ含有する場合も含まれる。その結果、−Ｙ−ＳＴ−Ｙ−は例えば下記構造、すなわちピペリジン誘導体を有する。
【００２３】
【化５】
0005624883.tif 000006
【００２４】
ＳＴ１とＳＴ２の炭化水素基の置換基は、好ましくは、ヒドロキシル基、ハロゲン基（例えば、フッ素または塩素）およびシアノ基からなる群より選ばれる１つ以上の置換基、好ましくは１〜３の置換基である。
本発明のポリカーボネートおよび／またはポリウレタンのポリ有機シロキサン化合物中に必須のポリ有機シロキサン構成要素は、好ましくは下記式（２）を有する。
【００２５】
【化６】
0005624883.tif 000007
（２）                    
式中、Ｒ４は、２０個までの炭素原子を有する、直鎖、環状または分岐状の、飽和、不飽和または芳香族炭化水素基であり、ｓは１〜９９９である。
【００２６】
好ましくは、Ｒ４は、Ｃ１〜Ｃ２０、好ましくはＣ１〜Ｃ９の、直鎖、環状または分岐状の、飽和、不飽和または芳香族炭化水素基であり、特に好ましくはメチル基およびフェニル基である。ｓは、好ましくは１〜１９９、特に１〜９９である。
特に好ましい場合において、シロキサン単位は下記構造を有する。
【００２７】
【化７】
0005624883.tif 000008
式中、ｓは上述の通りである。
【００２８】
本発明のポリカーボネートおよび／またはポリウレタンのポリ有機シロキサン化合物において、ＳＴ５およびＳＴ６はそれぞれ−ＣＨ２−であり、その結果、式（Ｉ）は下記式（３）構造をとる。
【００２９】
【化８】
0005624883.tif 000009
（３）                         
式中、Ｙ１、Ｙ２、ＳＴ１およびＳＴ２は上記で定義される通りである。
【００３０】
本発明のポリカーボネートおよび／またはポリウレタンのポリ有機シロキサン化合物の好適な実施形態において、ＳＴ１およびＳＴ２はそれぞれ二価基であり、その結果、直鎖状ポリカーボネートおよび／またはポリウレタンのポリ有機シロキサン化合物が形成される。このような本発明の直鎖状ポリカーボネートおよび／またはポリウレタンのポリ有機シロキサン化合物は、水媒体中での良好な混和性または分散性が求められる用途において使用されるのが好ましい。そのような用途としては、特に、布地用柔軟剤として、特に洗剤、繊維製品ケア組成物、繊維製品仕上げ組成物、熱可塑性プラスチック用変性剤としての使用が含まれる。
【００３１】
しかし、ＳＴ１またはＳＴ２の少なくとも１つの基が三価以上、好ましくは四価であり、その結果、直鎖の繰り返し構造を有する分岐構造が式（１）の構成要素から形成される、分岐状ポリカーボネートおよび／またはポリウレタンのポリ有機シロキサン化合物も本発明に含まれる。このような本発明の分岐状構成要素を含むポリカーボネートおよび／またはポリウレタンのポリ有機シロキサン化合物は、熱硬化性塗料またはエラストマーが本発明のポリカーボネートおよび／またはポリウレタンのポリ有機シロキサン化合物から生成される用途において特に必要とされる。
【００３２】
本発明のポリカーボネートおよび／またはポリウレタンのポリ有機シロキサン化合物は、平均して、式（１）の構成要素を好ましくは少なくとも２つ、より好ましくは少なくとも３つ含む。
【００３３】
本発明のポリカーボネートおよび／またはポリウレタンのポリ有機シロキサン化合物は、平均して、式（２）のポリ有機シロキサン構成要素を少なくとも２つ、好ましくは少なくとも３つ含む。
【００３４】
さらに、本発明の好ましいポリカーボネートおよび／またはポリウレタンのポリ有機シロキサン化合物は、式（３）の繰り返し単位を好ましくは少なくとも１つ、より好ましくは少なくとも２つ、さらにより好ましくは少なくとも３つ含む。
【００３５】
【化９】
0005624883.tif 000010
（３）                         
式中、Ｙ１、Ｙ２、ＳＴ１およびＳＴ２は上記で定義される通りである。
【００３６】
本発明のポリカーボネートおよび／またはポリウレタンのポリ有機シロキサン化合物中の、式（１）または（３）で表される繰り返し単位の数は、開始化合物の化学量論の選択を通して、それ自体が周知である方法で、広い範囲内で制御されることが可能である。
【００３７】
基Ｙ１およびＹ２の意味によっては、本発明のポリカーボネートおよび／またはポリウレタンのポリ有機シロキサン化合物の例として、ポリウレタン化合物、例えば（ＳＴ５およびＳＴ６を−ＣＨ２−として）、
【００３８】
【化１０】
0005624883.tif 000011
（４）                         
（式中、Ｒ２は好ましくはＨおよび他の変数は上記で定義された通りである。）
ポリカーボネート化合物、例えば（ＳＴ５およびＳＴ６を−ＣＨ２−として）、
【００３９】
【化１１】
0005624883.tif 000012
（５）
または、
【００４０】
【化１２】
0005624883.tif 000013
（６）
（式中、Ｒ２、ＳＴ１およびＳＴ２は上記で定義された通りである）を含む。
【００４１】
本発明では、Ｙ１が−ＮＲ２−であり、Ｒ２は上記で定義された通りであり、好ましくは水素であるポリカーボネートおよび／またはポリウレタンのポリ有機シロキサン化合物が好ましい。
本発明では、Ｙ１およびＹ２が−ＮＲ２−であり、Ｒ２は上記で定義された通りであり、好ましくは水素であるポリウレタンのポリ有機シロキサン化合物がさらに好ましい。
本発明では、Ｙ１およびＹ２が−ＮＨ−であるポリウレタンのポリ有機シロキサン化合物が特に好ましい。
【００４２】
本発明のポリカーボネートおよび／またはポリウレタンのポリ有機シロキサン化合物のさらに好適な実施形態において、これらのポリカーボネートおよび／またはポリウレタンのポリ有機シロキサン化合物は、アミノ基、プロトン化アミノ基および／または第四級アンモニウム基を含む。特に水性組成物中で使用するのに有利な親水性を付与するのに特に役立つ第四級アンモニウム基の存在が特に好ましい。本発明の化合物では、アミノ基は特に末端基であってもよい。
【００４３】
本発明では、基ＳＴ１およびＳＴ２が同一であり、どの場合も二価である直鎖ポリカーボネートおよび／またはポリウレタンのポリ有機シロキサン化合物が好ましい。
本発明の好ましい実施形態では、基ＳＴ１およびＳＴ２は、どの場合も二価で同一であり、Ｙ１およびＹ２も同一である。例えば、式（７）の化合物、
【００４４】
【化１３】
0005624883.tif 000014
（７）
が得られ、これは式（８）で表される繰り返し単位に簡略化される。
【００４５】
【化１４】
0005624883.tif 000015
（８）
式中、本発明によれば、少なくとも１つの基ＳＴ１はポリ有機シロキサン基を含まなければならない。
しかし、同様に好ましい本発明の実施例では、ポリカーボネートおよび／またはポリウレタンのポリ有機シロキサン化合物の基ＳＴ１およびＳＴ２は異なる（ＳＴ１≠ＳＴ２）。このことにより、基ＳＴ１およびＳＴ２を選択することで、より柔軟に特性を制御することが可能となる。
【００４６】
本発明のさらに好ましい実施形態では、ポリカーボネートおよび／またはポリウレタンのポリ有機シロキサン化合物は、下記式（９）で表される基ＳＴ１を少なくとも１つ含む。
【００４７】
【化１５】
0005624883.tif 000016
（９）
式中、ｓは上記で定義される通りであり、ｒは１〜１２、好ましくは１または３である。
【００４８】
本発明のさらに好ましい実施形態では、ポリカーボネートおよび／またはポリウレタンのポリ有機シロキサン化合物は、下記式（１０）で表される第四級基を有するＳＴ２を少なくとも１つ含む。
−ＳＴ３−Ｎ＋（Ｒ５）２−ＳＴ４−Ｎ＋（Ｒ５）２−ＳＴ３−  （１０）
式中、Ｒ５は上記で定義される通りであり、
ＳＴ３は２〜１００個の炭素原子を有する、−Ｏ−、−Ｃ（Ｏ）−、−ＮＨ−、−ＮＲ３により置換されてもよい、直鎖、環状または分岐状の、飽和、不飽和または芳香族、置換または非置換炭化水素基であり、Ｒ３は上記で定義される通りであり、
ＳＴ４は２〜１００個の炭素原子を有する、−Ｏ−、−Ｃ（Ｏ）−、−ＮＨ−、−ＮＲ３、および、２〜２００のシリコン原子を有するポリ有機シロキサン単位により置換されてもよい、直鎖、環状または分岐状の、飽和、不飽和または芳香族、置換または非置換炭化水素基であり、式中Ｒ３は上記で定義される通りである。
【００４９】
ＳＴ３とＳＴ４に対する炭化水素基の置換基は、好ましくは、ヒドロキシル基、ハロゲン基（例えば、フッ素または塩素）およびシアノ基からなる群より選ばれる１つ以上の置換基、好ましくは１つから３つの置換基である。この場合、ヒドロキシル基が、特にＳＴ４として、特に好ましい。
【００５０】
したがって、下記の繰り返し単位で表されるポリカーボネートおよび／またはポリウレタンのポリ有機シロキサン化合物が、本発明の好ましい実施形態を示す。
【００５１】
【化１６】
0005624883.tif 000017
（１１）
【００５２】
式中、ＳＴ１、ＳＴ３、ＳＴ４、Ｒ２およびＲ５は上記で定義される通りであり、Ａ−は有機または有機アニオンである。ただし、基ＳＴ１、ＳＴ３、ＳＴ４の少なくとも１つはポリ有機シロキサン単位を含む。特に、炭化水素基ＳＴ１は、二官能性であるかまたは高い官能性を有する、第一級および第二級のアミンまたはアルコールから直接由来する構造である。
【００５３】
特に好ましい二官能性構造のＳＴ１は、１５個までの炭素原子を有する二価の直鎖炭化水素基、例えば、１５個までの炭素原子を有する二価のヘキサメチレン環状炭化水素基、例えば、ビスシクロヘキシルメタン構造に基づくもの、
【００５４】
【化１７】
0005624883.tif 000018
または、ピペラジンまたは市販のビス第二級アミン（例えば、Ｊｅｆｆｌｉｎｋ(R)７５４（Ｈｕｎｔｓｍａｎ  Ｃｏｒｐ．）の１５個までの炭素原子を有する二価の分岐状炭化水素基、例えば、メチルシクロヘキシルまたはイソホロン構造に基づくもの、
【００５５】
式中、ＳＴ１、ＳＴ３、ＳＴ４、Ｒ２およびＲ５は上記で定義される通りであり、Ａ−は有機または無機アニオンである。ただし、基ＳＴ１、ＳＴ３、ＳＴ４の少なくとも１つはポリ有機シロキサン単位を含む。特に、炭化水素基ＳＴ１は、二官能性であるかまたは高い官能性を有する、第一級および第二級のアミンまたはアルコールから直接由来する構造である。
【００５６】
【化１９】
0005624883.tif 000019
【００５７】
さらに、炭化水素基ＳＴ１を形成するための高い官能性を有する第一級および第二級のアミンまたはアルコールを使用することも、本発明の範囲内である。一例として、Ｎ（ＣＨ２ＣＨ２ＮＨ２）３が挙げられる。
【００５８】
さらに、基ＳＴ１となるポリアミンまたはポリオールの例としては、ヘキサメチレンジアミン、フェニレンジアミン、トルエンジアミン、シクロヘキサンジアミン、エチレンジアミンおよびそのオリゴマー、トリメチロールプロパン、グリコール、グリセロール、ペンタエリスリトール、糖類、または、ポリアミンまたはポリオールのポリアルコキシル化誘導体である。
【００５９】
別の好ましい実施形態では、炭化水素基ＳＴ１は、第一級および第二級のアミノ官能化プレポリマーまたはヒドロキシ官能化プレポリマー由来のより複雑な構造であって、同様に高い官能性を有することが出来る。
例としては、 
・第一級または第二級のアミノ末端ポリエーテルまたはヒドロキシ末端ポリエーテル、好ましくは、エチレンオキシド系ポリエーテルおよびプロピレンオキシド系ポリエーテル、例えば、Ｊｅｆｆａｍｉｎｅ(R)型、例えば、ＥＤおよびＴシリーズ（Ｈｕｎｔｓｍａｎ  Ｃｏｒｐ．）の第一級および第二級のアミノ末端ポリエーテル、
・ＮＨ２またはＯＨを末端に有するポリアミド、
・ＮＨ２またはＯＨを末端に有するポリ尿素である。
【００６０】
本発明でのシロキサンブロックのＳＴ１への導入は、好ましくは、α，ω−第一級または第二級アミノ官能化ポリ有機シロキサンを介して行なわれる。
対応するα，ω−第一級または第二級アミノアルキル末端ポリ有機シロキサンの生成は先行技術である（「Ｓｉｌｉｃｏｎｅ，  Ｃｈｅｍｉｅ  ｕｎｄ  Ｔｅｃｈｎｏｌｏｇｉｅ」、Ｖｕｌｋａｎ  Ｖｅｒｌａｇ  Ｅｓｓｅｎ  １９８９年、８５〜９０頁）。
【００６１】
さらに、炭化水素基ＳＴ１を形成するために、第一級または第二級のアミン基を有する、高い官能性のポリ有機シロキサンを使用することは、本発明の範囲内である。同様に、これらの櫛型および選択的にα，ω−アミノ官能化シロキサンは、先行技術から周知である。
【００６２】
本発明のポリカーボネートおよび／またはポリウレタンのポリ有機シロキサン化合物は、式（１２）の化合物
【００６３】
【化２０】
0005624883.tif 000020
（１２）
｛式中、ＳＴ＝ＳＴ１またはＳＴ２（上記で定義される通り）であり、Ｙ＝Ｙ１またはＹ２（上記で定義される通り）であり、ＳＴ５またはＳＴ６は上記で定義される通りである｝と、
下記式の化合物
【００６４】
【化２１】
0005624883.tif 000021
（式中、ＳＴ＝ＳＴ１またはＳＴ２であり、Ｙは上記で定義される通りである。ただし、基ＳＴ１および／またはＳＴ２の少なくとも１つはポリ有機シロキサン基を含む）とを反応させる方法により生成されるのが好ましい。
【００６５】
方法の好適な変形では、Ｙ＝ＮＲ２であり、式中Ｒ２は上記で定義される通りで、好ましくは水素であり、ＳＴ５およびＳＴ６はそれぞれ−ＣＨ２−である。
【００６６】
さらに、本発明のポリカーボネートおよび／またはポリウレタンのポリ有機シロキサン化合物は、下記式の化合物
【００６７】
【化２２】
0005624883.tif 000022
（１３）
（式中、ＳＴ５、ＳＴ６、Ｙ１およびＳＴ１は上述の通りである）と、下記式の化合物
ＨＹ２−ＳＴ３−ＮＲ５２
（式中、ＳＴ３、Ｙ２およびＲ５は上記で定義された通りである）と、を反応させる方法により生成されるのが好ましい。
【００６８】
上記の方法の変形において、好ましくはＳＴ５およびＳＴ６はそれぞれ−ＣＨ２−であり、Ｙ１およびＹ２はそれぞれ独立に−ＮＲ２−であり、ここでＲ２は上記で定義される通り、好ましくは水素であり、下記式の化合物と反応させる方法により生成されるのが好ましい。
Ｑ−ＳＴ４Ｖ−Ｑ
【００６９】
本発明のさらなる実施形態では、ポリカーボネートおよび／またはポリウレタンのポリ有機シロキサン化合物は、下記式（１０）で表される、第四級基を有するＳＴ２を少なくとも１つ含む。
−ＳＴ３−Ｎ＋（Ｒ５）２−ＳＴ４−Ｎ＋（Ｒ５）２−ＳＴ３−  （１０）
式中、ＳＴ３、ＳＴ４およびＲ５は上記で定義された通りである。
式中、Ｑはアミノ基をアルキル化することができる基であり、ＳＴ４Ｖは四級化反応後のＱ由来の分子部分とともに、基ＳＴ４を形成する。
ただし、ＳＴ１、ＳＴ３および／またはＳＴ４の少なくとも１つは二価または二価以上のポリ有機シロキサン基を含む。ＳＴ４’＝ＳＴ４Ｖまたは、例えば、反応後のハロアルキル基のような、反応後適宜変形される基ＳＴ４Ｖである。
【００７０】
アミノ基の四級化、または、アミノ基のアルキル化をすることができる基Ｑは、好ましくはエポキシ基およびハロアルキル基から選ばれる。以下の例は、基ＳＴ４Ｖを示す。
【００７１】
【化２３】
0005624883.tif 000023
このように、ＳＴ４は、アルキル化基Ｑの反応後のＳＴ４’またはＳＴ４Ｖ、例えばハロアルキル基またはエポキシ基から生じる分子部分から形成される。
【００７２】
このように、この方法により好適に生成されるポリカーボネートおよび／またはポリウレタンのポリ有機シロキサン化合物は、好ましくは、式（１０）で表される基を少なくとも１つ含有する化合物である。
−ＳＴ３−Ｎ＋（Ｒ５）２−ＳＴ４−Ｎ＋（Ｒ５）２−ＳＴ３−  （１０）
式中、ＳＴ３、ＳＴ４およびＲ５は上記で定義された通りである。
式（１２）の化合物の生成に関し、
【００７３】
【化２４】
0005624883.tif 000024
（１２）
（式中、Ｙ、ＳＴ、ＳＴ５およびＳＴ６は上述の通り）
【００７４】
本発明の１つの実施形態では、第一段階で、上記ＨＹ−ＳＴ−ＹＨで扱われるアミノまたはヒドロキシル基を末端に有するＳＴ開始物質（式中、ＹおよびＳＴは上記で定義された通り）は、下記構造の炭酸フェニルエステルと反応する。
【００７５】
【化２５】
0005624883.tif 000025
例えば、
【００７６】
【化２６】
0005624883.tif 000026
および
【００７７】
【化２７】
0005624883.tif 000027
（例えば、国際公開第２００５／０５８８６３号参照）。
【００７８】
本発明の別の実施形態によれば、過剰量のＣＯＣｌ２で、ＳＴ基となるアミノまたはヒドロキシル基を末端に有する開始物質を対応するクロロギ酸誘導体に変えることができ、その後、
【００７９】
【化２８】
0005624883.tif 000028
と反応し、好ましくは、
【００８０】
【化２９】
0005624883.tif 000029
と反応し、カーボネートを末端に有する中間物質とする。
本発明のさらなる実施形態によれば、まずカーボネート前駆体
【００８１】
【化３０】
0005624883.tif 000030
好ましくは、
【００８２】
【化３１】
0005624883.tif 000031
を過剰量のＣＯＣｌ２で、クロロギ酸誘導体に変え、最終的にＳＴ基、特にＳＴ１になるアミノまたはヒドロキシル基を末端に有する開始物質と反応し、カーボネートを末端に有する中間物質とする。
【００８３】
この反応概念の利点は、離脱基としてのフェノールを回避できることである。
このような反応の結果、ＳＴ基、特にＳＴ１を含有する環状カーボネートを末端に有する中間物質が形成される。
このような中間物質は、ＳＴ基、特にＳＴ２を含有する適切な相手と反応することができる。このような反応相手は、２つの反応性アミノ単位またはヒドロキシル単位を有する物質である。この場合、反応性アミノ基が特に好ましい。というのは、反応性アミノ基は環状カーボネートに対して比較的高い反応性を有するが、ヒドロキシル基は低い反応性しか有しないからである。
【００８４】
好ましい実施形態では、ここでの構造は、第一級および第三級または第二級および第三級ジアミノ構造（例えばＮ，Ｎ−ジメチルプロピレンジアミン）である。このようなジアミノ構造を使用する前提条件は、多官能性、特に二官能性四級化剤を同時に使用することである。というのは、そうでなければ、鎖形成が行なわれないからである。次式（１０）
−ＳＴ３−Ｎ＋（Ｒ５）２−ＳＴ４−Ｎ＋（Ｒ５）２−ＳＴ３−  （１０）
で表されるＳＴ２構成要素はこのように形成される。
例えば、Ｎ−メチルピペラジンを使用すると、環状ＳＴ、特にＳＴ２構造が形成される可能性がある。
第一級および第二級ジアミンも使用できる。 
鎖形成後、残っているアミノ基は適宜アルキル化されてもよい。
【００８５】
分岐状化合物を生産するための、より高い官能性を有するアミノ構造の例は、Ｎ，Ｎ，Ｎ’，Ｎ’−テトラメチルジプロピレントリアミン（Ｊｅｆｆｃａｔ  ＺＲ５０Ｂ  Ｈｕｎｔｓｍａｎ）、Ｎ，Ｎ，Ｎ’，Ｎ’−テトラメチルジエチレントリアミンである。
下記の化合物
【００８６】
【化３２】
0005624883.tif 000032
と、アミノ官能性またはヒドロキシ官能性ＳＴ２前駆体との反応は、室温から１６０度、好ましくは１４０度の範囲で行なわれるのが好ましい。反応時間は数分から数時間である。この場合、ＳＴ２単位を形成するアミノ官能性前駆体は一般にヒドロキシ官能性ＳＴ２前駆体よりもよく反応する。
【００８７】
反応時間、反応温度、達成される変換は、特に、ＳＴ２単位を形成する前駆体におけるアミノ基のタイプに依存する。一般に、第一級アミノ基は第二級アミノ基より容易に反応する。
鎖形成を伴う重合を可能にするために、四級化化合物がＳＴ３およびＳＴ４を含有するポリカーボネートおよび／またはポリウレタンのポリ有機シロキサン化合物の生成に必要である。好適な実施形態では、ＳＴ４を含有する相手は、炭化水素系α，ω−エポキシおよび／またはハロゲン官能性物質である。 
【００８８】
炭化水素系エポキシド誘導体は好ましくは、
・炭化水素ジエポキシド（例えば、ビニルシクロヘキサンジエポキシド）、
・エピクロロヒドリン、
・エポキシ末端ポリエーテル、好ましくはエチレンオキシドおよびプロピレンオキシド系ポリエーテル（例えば、グリシジル末端ポリエーテル）、
・エポキシ末端ポリエステル、
・エポキシ末端ポリカーボネート、である。
ハロゲン官能性炭化水素誘導体（好ましくは塩化物および臭化物）は、好ましくは、
・炭化水素ジハロゲン化物、
・ハロゲン末端ポリエーテル、好ましくはエチレンオキシドおよびプロピレンオキシド系ポリエーテル、
・炭化水素ジオールとポリエーテルとのハロカルボン酸エステル、好ましくはエチレンオキシドおよびプロピレンオキシド系ポリエーテル、特に、炭化水素ジオールとポリエーテルとのクロロ酢酸エステル、クロロプロピオン酸エステルおよびクロロブタン酸エステル、である。
【００８９】
同様に、アルコキシ基と二官能性酸とのエステルを、対応するグリシジル、ハロゲンまたはハロカルボン酸エステル誘導体に変え、本発明に従って用いることは、本発明の範囲内である。これらは、例えばコハク酸に由来する。
特に好ましいクロロカルボン酸の合成は、周知の方法（「Ｏｒｇａｎｉｋｕｍ，  Ｏｒｇａｎｉｓｃｈ−Ｃｈｅｍｉｓｃｈｅｓ  Ｇｒｕｎｄｐｒａｋｔｉｋｕｍ」１７版、  ＶＥＢ  Ｄｅｕｔｓｃｈｅｒ  Ｖｅｒｌａｇ  ｄｅｒ  Ｗｉｓｓｅｎｓｃｈａｆｔｅｎ，  Ｂｅｒｌｉｎ  １９８８年、４０２−４０８頁）で、ジオール成分と対応するハロカルボン酸無水物またはハロカルボン酸塩化物とを反応させて行なわれる。
【００９０】
さらなる実施形態では、炭化水素基ＳＴ４は、α，ω−ヒドロキシ官能化プレポリマー由来の、より複雑なα，ω−エポキシまたはハロゲン末端構造である。
これらのα，ω−ヒドロキシ官能化プレポリマーは、
・ジオールとジイソシアネート、
・ＯＨ末端ポリエーテル、好ましくはエチレンオキシドおよびプロピレンオキシド系ポリエーテルとジイソシアネート、
・ＯＨ末端ポリエステル、
・ＯＨ末端ポリカーボネートの反応物、であるのが好ましい。
好適な実施形態では、これらのα，ω−ヒドロキシ官能化プレポリマーは、対応するα，ω−ハロカルボン酸エステル、特にクロロ酢酸エステル、クロロプロピオン酸エステルおよびクロロブタン酸エステルに変換される。
【００９１】
本発明でのシロキサンブロックのＳＴ４への導入は、
・α，ω−エポキシ末端シロキサン、好ましくはα，ω−グリシジルおよびエポキシシクロヘキシル末端シロキサン、
・α，ω−ハロアルキル末端シロキサン、好ましくはα，ω−クロロプロプルおよびクロロプロペニル末端シロキサン、
・α，ω−ハロカルボン酸エステル末端シロキサン、好ましくは、クロロ酢酸、クロロプロピオン酸およびクロロブタン酸のエステル、
・α，ω−ハロカルボン酸エステル末端ポリエーテルシロキサン、好ましくは、クロロ酢酸、クロロプロピオン酸およびクロロブタン酸のエステル、を介して行なわれるのが好ましい。 
【００９２】
ＳＴ４に入るα，ω−エポキシ末端シロキサンおよびα，ω−ハロアルキル末端シロキサンの生成は先行技術に記載されている（「Ｓｉｌｉｃｏｎｅ，  Ｃｈｅｍｉｅ  ｕｎｄ  Ｔｅｃｈｎｏｌｏｇｉｅ」Ｖｕｌｋａｎ  Ｖｅｒｌａｇ  Ｅｓｓｅｎ  １９８９年、８５〜９０頁および１２０頁）。
α，ω−ハロカルボン酸エステル末端シロキサンは、国際公開第０２／１０２５６号の実施例１の工程と同様に生成され得る。ここでは、ＳｉＨ−シロキサンがオレフィンまたはアセチレン様に、不飽和のアルコールのハロカルボン酸エステルと反応する。
【００９３】
α，ω−ハロカルボン酸エステル末端ポリエステルシロキサンは、国際公開第０２／１０２５７号の実施例１の工程と同様に生成され得る。ここでは、ＳｉＨ−シロキサンがオレフィンまたはアセチレン様に不飽和のポリエーテルのハロカルボン酸エステルと反応する。あるいは、ポリエーテルシロキサンをハロカルボン酸または無水物またはその酸塩化物と反応させることもできる（米国特許第５１５３２９４号、米国特許第５１６６２９７号）。
【００９４】
特に好ましい場合、ＳＴ単位中のシロキサン単位は下記構造を有する。
【００９５】
【化３３】
0005624883.tif 000033
式中、Ｓは上述の通りである。
【００９６】
さらなる実施形態において、シロキサンブロックのＳＴ構造への導入は、α，ω−エポキシまたはハロゲン官能化シロキサンプレポリマー（対応するα，ω−ヒドロキシアルキルまたはα，ω−ヒドロキシポリエーテル末端シロキサンプレポリマーから得るのが好ましい）を介して行なわれる。
【００９７】
これらのＯＨ末端シロキサン含有プレポリマーは、
・α，ω−ヒドロキシアルキル末端シロキサンとジイソシアネート、
・α，ω−ポリエーテル末端シロキサンとジイソシアネートと、を反応させて生成するのが好ましい。
その後、エポキシおよびハロゲン誘導体に変換される。無水物や酸塩化物などでのエステル化によって得られるα，ω−ハロカルボン酸官能化シロキサンプレポリマーが好適な実施形態を示す。 
【００９８】
さらに、基ＳＴ２を形成するための高い官能性を有する炭化水素系またはシロキサン系物質を使用することも、本発明の範囲内である。これらの材料は、上記で扱われたエポキシまたはハロゲン機能を２つ以上含む。
高い官能性を有する炭化水素系物質の例としては、グリセロール、ペンタエリスロール、ソルビトールのグリシジルまたはクロロ酢酸エステル誘導体、それらのエトキシレートおよび／またはプロポキシレートである。同様に、高い官能性を有するアルコキシル基と酸とのエステルを、対応するグリシジルまたはクロロ酢酸エステル誘導体に変え、本発明に従って用いることは、本発明の範囲内である。これらは、例えばトリメリット酸またはピロメリット酸に由来する。
【００９９】
α，ω−および／または櫛型エポキシまたはハロゲン（好ましくはハロカルボン酸エステル）置換との高い官能性を有する適切なシロキサン系物質は、例えばヒドロキシ官能性前駆体から得られる。ヒドロキシ官能性前駆体は、対応するＳｉＨシロキサンにアリルアルコール、ブチンジオールおよびアリルアルコールまたはブチンジオールとアルコキシ基とのエステルを添加することにより得られる。あるいは、例えば、不飽和エポキシまたはハロカルボン酸エステル官能性前駆体が、対応するＳｉＨシロキサンに添加できる。
高い官能性を有する炭化水素系またはシロキサン系物質の官能性は２以上であることが必須の特徴である。
【０１００】
さらに、末端基ＳＴを形成するために単官能基の炭化水素系またはシロキサン系物質を使用することも、本発明の範囲内である。これらの材料は上記で扱われたエポキシまたはハロゲン官能性の１つを含むことが好ましい。
単官能基の炭化水素系物質の例は、アルカノール（例えば、エタノール、２−プロパノール、ドデカノールおよびオクタデカノール）、アルケノール（例えば、アリルアルコール、ヘキサノールおよびオレイルアルコール）、およびアルキノール（例えば、プロピノール）のグリシジルまたはクロロ酢酸エステル誘導体、および、上述の単官能基アルコールのアルコキシレート（特に、エトキシレートおよび／またはプロポキシレート）である。同様に、脂肪酸アルコキシレートを対応するグリシジル、ハロゲンまたはクロロ酢酸エステル誘導体に変え、本発明に従って用いることも、本発明の範囲内である。
【０１０１】
エポキシまたはハロゲン、好ましくはハロカルボン酸エステル置換を有する適切な単官能基シロキサン系物質が、例えば国際公開第０２／１０２５６号から公知である。それらは、対応するＳｉＨシロキサンに添加できる、例えば不飽和エポキシまたはハロカルボン酸エステル官能性前駆体から得られる。
形成されたポリマーの分子量を調整し、また、高い官能性を有するＳＴ２前駆体との連携に適切な場合、ポリマー鎖の分岐度を制御するために、それらの性質によって、これらの単官能基の炭化水素系またはシロキサン系ＳＴ２前駆体が添加される。
【０１０２】
エポキシ含有物質がＳＴ２導入に使われる場合、先行技術から知られる方法で、酸が化学量論量添加される。酸性アニオンは、ハロゲン化物、特に塩化物のような無機アニオン、および、カルボキシレート、特にＣ２−Ｃ１８カルボキシレート、アルキルポリエーテルカルボキシレート、アルキルサルフェイト、特にメトサルフェイト、サルフェイト、特にアルキルサルフォネートおよびアルキルアリールサルフォネート、さらに特にトルイルサルフォネートのような有機アニオンである。
全反応順序または個々の部分の工程を溶媒のない場合またはある場合で行なうことは本発明の範囲内である。好ましい溶媒は、メトキシプロピルアセテート、ブチルアセテートおよびトルエンのような通常のラッカー溶媒である。
記載された全反応順序の結果、四級化試薬を使うと、ＳＴ１〜ＳＴ４を含む構成要素ＳＴの少なくとも１つに、ポリ有機シロキサンを有する四級化されたポリカーボネートおよび／またはポリウレタンのポリ有機シロキサン化合物が得られる。
【０１０３】
本発明はさらに、塗料、表面改良剤、エラストマー、熱硬化性樹脂、接着剤、金属およびプラスチック表面用下塗剤、ポリマー添加剤、洗剤添加剤、レオロジー剤、化粧品、および繊維改良剤の生成のための、本発明によるポリカーボネートおよび／またはポリウレタンのポリ有機シロキサン化合物の用法に関する。
【０１０４】
毛髪用化粧品製剤において、この状況下では、本発明によるポリカーボネートおよび／またはポリウレタンのポリ有機シロキサン化合物は、いわゆるコンディショニング剤（「コンディショナー」）の機能を特に発揮する。つまり、毛髪の特性（柔らかさ、輝き、張り、櫛通りの良さ）に特に好ましい影響を及ぼす。また、本発明によるポリカーボネートおよび／またはポリウレタンのポリ有機シロキサン化合物が、他の従来のコンディショニング剤（例えば、国際公開第９９／００９９３９号に記載されるように、例えばαオレフィン、フッ素化油、フッ素化ワックス、フッ素化ゴム、少なくとも１０個の炭素原子を有するカルボン酸エステル、カチオン性ポリマー、製剤媒体に不溶性または溶性であるシリコン、鉱油、植物油、動物油またはそれらの混合物）と特に組み合わされて使用されることも可能である。
【０１０５】
好ましくは、本発明はさらに、硬表面、例えば、ガラス、セラミック、タイル、コンクリート、および、車体および船体等の金属部品等の塗料または表面改良剤の生成のための、本発明によるポリカーボネートおよび／またはポリウレタンのポリ有機シロキサン化合物の用法に関する。
好ましくは、本発明はさらに、シリコンエラストマーを他の基材（例えば、鋼鉄、アルミニウム、ガラスおよびプラスチック、例えば、エポキシ樹脂、ポリアミド、ポリフェニレンスルフィドおよびポリテレフタレートなどのポリエステル）と接着させる下塗剤の生成のための、本発明によるポリカーボネートおよび／またはポリウレタンのポリ有機シロキサン化合物の用法に関する。
【０１０６】
本発明のさらに好適な実施形態において、これらは、熱可塑性プラスチック、例えば、ポリオレフィン、ポリアミド、ポリウレタン、ポリ（メタ）アクリレートおよびポリカーボネートのための変性剤の生成のための、本発明によるポリカーボネートおよび／またはポリウレタンのポリ有機シロキサン化合物の用法に関する。
【０１０７】
本発明のポリカーボネートおよび／またはポリウレタンのポリ有機シロキサン化合物のさらに好適な実施形態において、これらは、低温衝撃改質剤の生成のための、本発明によるポリカーボネートおよび／またはポリウレタンのポリ有機シロキサン化合物の用法に関する。
【０１０８】
本明細書中、上記で使用される表現「の生成のための」は、本発明のポリカーボネートおよび／またはポリウレタンのポリ有機シロキサン化合物が上記の用法のためにそれ自体が使用される場合も含む。すなわち、例えば、本発明のポリカーボネートおよび／またはポリウレタンのポリ有機シロキサン化合物自体を直接低温衝撃改質剤として使用できる。しかし、低温衝撃改質剤はまた、例えばマスターバッチの混合、配合または製造によって、事前に適切に供給される。
【０１０９】
さらに、ポリカーボネートおよび／またはポリウレタンのポリ有機シロキサン化合物は、接着剤や封止剤の構成物質として、熱可塑性プラスチックエラストマー、例えば、ケーブル・シース、ホース、シールおよびキーボードマット用の基材、および、選択的気体透過性膜のような膜用の基材として使用されるのが好ましい。本発明の共重合体の使用にはさらに 防汚およびノンスティック塗料のような塗料、繊維相溶性塗料、防火塗料および生体適合性のある材料を含む。
これらは、樹脂改質またはビチューメン改質のために、化粧品、ボディケア組成物、ラッカー添加剤、洗剤中の補助物質、消泡製剤および繊維加工用塗料組成物として働く。 
【０１１０】
さらなる用途としては、電子部品用梱包材料、絶縁または遮蔽材料、凝縮水が形成される隙間（飛行機、機体、船、自動車）へのシーリング材、投光照明スクリーン（内部）防曇塗料、住居、自動車または医療機器用窓枠、研磨、洗浄またはケア組成物用添加剤、ボディケア組成物用添加剤、木材、紙、段ボール用コーティング剤、型取り外し剤、医療使用時の生体適合性のある材料（例えばコンタクトレンズ）、織物繊維または織物布地用コーティング剤、天然物質（例えば皮や毛皮）用コーティング剤、膜用材料、および感光システム（例えば、リトグラフプロセス）、光学データ保護または光学データ送信用素材が含まれる。
【０１１１】
さらに、本発明の好適な実施形態では、これは、エラストマーに過酸化的にまたはヒドロキシル化（白金触媒）によって架橋されてもよいシリコンゴム用混合成分である粘度調整剤、静電気防止剤の生成のための、本発明のポリカーボネートおよび／またはポリウレタンのポリ有機シロキサン化合物の使用に関する。これは表面特性の改質、気体、液体等の拡散の改良、またはシリコンエラストマー、織物繊維の洗濯前・中・後の処理用柔軟剤、天然（毛髪、綿繊維）および合成繊維（ポリエステル繊維およびポリアミド繊維）および混合繊維の改質剤、織物仕上剤、洗剤や洗浄組成物のような洗剤含有製剤の膨張特性を改質することとなる。
【０１１２】
さらに、本発明は、本発明のポリカーボネートおよび／またはポリウレタンのポリ有機シロキサン化合物を含有する新規の洗剤製剤、化粧品製剤および繊維処理製剤に関する。
【０１１３】
このように、本発明のポリカーボネートおよび／またはポリウレタンのポリ有機シロキサン化合物は、固体または液体洗剤製剤では全製剤量中約０．１〜１０重量％の量で存在し、化粧品製剤および繊維処理用製剤（例えば、洗濯前・中・後の織物ケア組成物）では全製剤量中約０．１〜５０重量％の量で存在することが可能である。
【０１１４】
好ましくは、本発明のポリカーボネートおよび／またはポリウレタンのポリ有機シロキサン化合物は、ガラス、セラミック、タイル、プラスチック表面、金属表面、ラッカー表面のような硬表面、具体的には船体および車体、具体的には、自動車の機械洗浄のための乾燥機用製剤の処理および仕上げに、好ましくはシリコンエラストマーを他の基材（鋼鉄、アルミニウム、ガラス、エポキシ樹脂またはポリアミド）と接着させるために添加剤または下塗剤として、また、過酸化架橋および白金触媒架橋による炭化水素系ポリマーおよびシリコン系エラストマーのための、例えば、低温衝撃改質剤および極性改質剤のような改質剤として使用されることが可能である。
【０１１５】
さらに、本発明のポリカーボネートおよび／またはポリウレタンのポリ有機シロキサン化合物は、天然および合成繊維、例えば、綿、ウールおよびポリエステル合成繊維およびポリアミド合成繊維、具体的には織布として、繊維処理、特にアニオン、非イオン性、カチオン性界面活性剤を含有する洗剤製剤での繊維処理用の特定組成で使用される。ここで、本発明の化合物は、洗剤に直接組み込まれるか、または別に洗浄過程中または洗浄過程終了後に加えられ、柔軟性、改善された弾性および低下したしわになりやすさが処理された基材に与えられ、一方では許容範囲の親水性を維持する。
【０１１６】
同様に、本発明のポリカーボネートおよび／またはポリウレタンのポリ有機シロキサン化合物は、別の柔軟剤系（特にカチオン性界面活性剤系）の構成要素として働き、繊維および織物の洗濯後は、アイロンがけ補助剤および繊維のしわ予防またはしわのばし剤として働く。
さらに、繊維の仕上げに使用される。具体的には、織物、紙、木材の形態の、例えば綿、羊毛、およびポリエステルおよびポリアミド合成繊維の最初の仕上げおよび処理に使用される。 
上述されるように、さらに毛髪および肌の処理のための化粧品系に有利に用いられる。
【０１１７】
本発明のポリカーボネートおよび／またはポリウレタンのポリ有機シロキサン化合物の特に好適な使用分野は、また、特に化粧品製剤のベースとしての、水性、溶液、混合物、乳液およびマイクロエマルションである。

本発明のポリカーボネートおよび／またはポリウレタンのポリ有機シロキサン化合物は、液体、クリームまたはペーストの形態で、純物質、溶液、混合物、乳液およびマイクロエマルションとして使用され、各種粘度を有する本発明の適切な化粧品製剤の生成のための開始物質として使用される。 
【０１１８】
例えば、硬基材または柔基材のような基材の処理のための、本発明のポリカーボネートおよび／またはポリウレタンのポリ有機シロキサン化合物の製剤生成方法は、例えば、以下の工程を含む。
ａ）本発明のポリカーボネートおよび／またはポリウレタンのポリ有機シロキサン化合物で溶液、混合物または乳液の形態の予混合物の生成、
ｂ）予混合物ａ）を用いさらに混合物の生成、および、状況によりさらに界面活性剤、補助剤および他の添加物の添加、または、
ｃ）工程ａ）およびｂ）の組み合わせ、ここでは構成要素の混合は攪拌機、溶解機、混練機、ポンプ、混合スクリュー、混合ノズルおよび低圧および高圧乳化機器を用いて行なわれる。 
【０１１９】
これらの方法は、上述されるように、適切な容器、機器または混合機器中の任意の形態の攪拌機のような、当該技術分野で公知の機械や機器（Ｕｌｌｍａｎｎ’ｓ  Ｅｎｚｙｋｌｏｐaｄｉｅ）を用いて実現される。
【０１２０】
全ての構成要素を直接混合することも可能である。しかし、予混合物で生成するのが、より速くより良く分散するので好ましい。また、各種物質群が他の方法では適切に他と混合、乳化、分散されない、または、高額な費用をかけた場合のみ混合、乳化、分散可能であるので、予混合物の生成は、部分的に必須である。適切な予混合物または中間混合物とは、好ましくは溶液、ペースト、クリームまたは乳液または分散液の他の形態での混合物のことである。化粧品製剤で平均粒径１０〜２００ｎｍのマイクロエマルションの生成および使用が特に好ましい。 
【０１２１】
本発明のポリカーボネートおよび／またはポリウレタンのポリ有機シロキサン化合物を含有する製剤は、例えば、ヘアトリートメントのようないろいろな形態に製造される。本発明のポリカーボネートおよび／またはポリウレタンのポリ有機シロキサン化合物は、ケラチン含有基材（例えば、人間および動物の毛髪または肌）の処理のための化粧品製剤として、アルコール溶液またはポリアルコール溶液として、または乳液として、使用されるのが好ましい。原材料、使用される補助物質および生成過程の混合方法に応じて、透明、濁った、および白濁した製剤が得られる。
【０１２２】
アルコール溶液およびポリアルコール溶液、および、水、油状物質および従来のシリコン（とりわけ、ポリジメチルシロキサン）とのそれらの混合液、溶媒および／または油状物質および／またはシリコンの二成分および三成分混合物が、本発明のポリカーボネートおよび／またはポリウレタンのポリ有機シロキサン化合物を含有する溶液および混合物の生成に適する。ここで特に好ましい溶媒は、エタノール、イソプロパノール、エチレングリコールおよびエチレングリコールエーテル、ポリエチレングリコールおよびそのエーテル、プロピレングリコールおよびプロピレングリコールエーテル、ポリプロピレングリコールおよびそのエーテルおよびグリセロールおよびそれらの混合物である。特に好ましい油状物質は、鉱油産物および植物、動物、合成起源の油およびそれらの混合物である。特に好ましいシリコンは、本発明のポリカーボネートおよび／またはポリウレタンのポリ有機シロキサン化合物と違い、例えば、環状および直鎖状ポリジメチルシロキサンおよびその混合物、例えば、ＩＮＣＩによれば、２５度で０．６５〜６０，０００，０００ｍＰａ．ｓの範囲の粘度を有するシクロメチコン、シクロテトラシロキサン、シクロペンタシロキサン、シクロヘキサシロキサン、ジメチコンおよび２５度で１０〜６０，０００，０００ｍＰａ．ｓの範囲の粘度を有するジメチコノールである。
【０１２３】
本発明のポリカーボネートおよび／またはポリウレタンのポリ有機シロキサン化合物を含有する好ましい溶液および混合物は、組成物全量に対し、以下の組成（重量％）を有する。
【０１２４】
溶液または混合物
０．１〜９９．９％  本発明のポリカーボネートおよび／またはポリウレタンのポリ有機シロキサン化合物。
０．１〜９９．９％  溶媒および／または油および／またはシリコンおよび／または水。
【０１２５】
本発明のポリカーボネート及び又はポリウレタンのポリ有機シロキサン化合物の乳液の組成：
【０１２６】
乳液の生成のために、一般には、水および非イオン性、カチオン性および両性の界面活性剤および界面活性剤混合物が用いられる。乳液はさらに、無機および有機酸、ベースおよび緩衝剤、塩、増粘剤、「キサンタンガム」などのエマルション安定剤、防腐剤、泡安定剤、消泡剤およびアルコール（エタノール、イソプロパノール、エチレングリコール、ポリエチレングリコール、プロピレングリコール、ポリプロピレングリコール、グリコールエーテルおよびグリセロールおよびその混合物）などの溶媒のような補助物質を含んでもよい。
【０１２７】
乳液で使用される本発明のポリカーボネートおよび／またはポリウレタンのポリ有機シロキサン化合物は、乳液生成において乳化剤として働く。
化粧品製剤の生成に好ましく使用される乳液は、例えば、全組成物量に対して以下の構成要素（重量％）を含む。
１０〜５０％  本発明のポリカーボネートおよび／またはポリウレタンのポリ有機シロキサン化合物
１〜３５％  界面活性剤
０〜１０％  補助物質
０〜２０％  溶媒
１００％になるまで満たされた水
【０１２８】
化粧品製剤、織物および他の繊維基材の仕上げ、または硬表面の塗料用のマイクロエマルション：
透明な化粧品製剤の生成できるかもしれないことに加えて、簡単な加工技術（「コールドプレス」）で水性製剤に組み込む利点を付加的に提供することから、本発明のポリカーボネートおよび／またはポリウレタンのポリ有機シロキサン化合物を高活性量含むマイクロエマルションを生成するのが特に好ましい。本発明のポリカーボネートおよび／またはポリウレタンのポリ有機シロキサン化合物を上述の溶液および混合物としてマイクロエマルションの生成に使用可能である。全組成物量に対する乳液中の本発明のポリカーボネートおよび／またはポリウレタンのポリ有機シロキサン化合物の好ましい活性量は、５〜６０重量％であり、特に好ましいのは１０〜５０重量％である。
【０１２９】
特に好ましいマイクロエマルションは、マイクロエマルションの総量に対して以下の構成（重量％）を含むが、本発明を限定するものではない。
２０〜８０％  本発明のポリカーボネートおよび／またはポリウレタンのポリ有機シロキサン化合物
０〜３５％  界面活性剤
０〜１０％  補助物質
０〜２０％  溶媒
１００％になるまで満たされた水
【０１３０】
本発明は、本発明のポリカーボネートおよび／またはポリウレタンのポリ有機シロキサン化合物を用いて生成された溶液、混合物または乳液の、化粧品製剤への使用も提供する。
これらの化粧品製剤は事前に生成された溶液または乳液を用いて生成されるが、個々の構成要素から直接作られてもよい。
【０１３１】
化粧品製剤
化粧品製剤の例として、以下が挙げられる。 
いわゆる「リンスオフ」製品、例えば、「２イン１」シャンプー、「ボディウォッシュ」および洗髪中および洗髪後またはカラリング後のヘアトリートメント用のヘアリンス、または、ブリーチ、カールまたはストレートにする前のヘアトリートメント、および、いわゆる「リーブイン」製品、例えば、ヘアトリートメント、ケアクリーム、整髪クレーム、ヘアジェル、ヘアスタイリング製品、ヘアセット組成物、ヘアスプレイ、ポンプスプレイ、ブローウェーブ組成物およびブロードライセット組成物である。さらに、製剤は洗髪に対するカラー耐性に応じて３タイプ、すなわち、パーマネント、セミパーマネントおよび一時的なヘアカラリング組成物に分類されるヘアカラリング組成物を含む。ここでの用語「ヘア」は、ケラチン含有繊維を全て含むが、特に、人間の毛髪である。ヘアカラリング組成物は、本発明のポリカーボネートおよび／またはポリウレタンのポリ有機シロキサン化合物に加えて、例えば、従来のシリコン、界面活性剤、補助物質およびカラリング剤を含有する。これらの各成分は、単独か、またはさらなる成分を組み合わせて使用される。また、各成分は、ボリューム、櫛通りの良さおよび輝きを増やす働きをし、色付けされたケラチン含有基材（例えば、人間、動物の毛髪）のカラーが洗い出されるのを減らす働きをする、製剤の付加機能を表す。さらに、各成分は、ポリカーボネートおよび／またはポリウレタンのポリ有機シロキサン化合物を含有する。 
【０１３２】
化粧品製剤との関連で述べられる略語は、ＩＮＣＩ（Ｔｈｅ  Ｃｏｓｍｅｔｉｃ，  Ｔｏｉｌｅｔｒｙ  ａｎｄ  Ｆｒａｇｒａｎｃｅ  Ａｓｓｏｃｉａｔｉｏｎ  Ｗａｓｈｉｎｇｔｏｎ  ＤＣ）で説明されている。
【０１３３】
本発明のポリカーボネート及び又はポリウレタンのポリ有機シロキサン化合物に加えて、ここで含まれるシリコンの例としては、以下が挙げられる。 
（１）０．６５〜２００，０００，０００ｍＰａ．ｓ（２５度）の粘度を有する環状、直鎖および分岐ポリジメチルシロキサンおよびその混合物、例えば、オクタオルガノシクロテトラシロキサン、オクタメチルシクロテトラシロキサン、デカオルガノシクロペンタシロキサンおよびドデカオルガノシクロヘキサシロキサン、ここで有機基は好ましくはメチル基を示す。例えば、Ｍｏｍｅｎｔｉｖｅ  Ｐｅｒｆｏｒｍａｎｃｅ  Ｍａｔｅｒｉａｌｓ社、以前のＧＥ  Ｂａｙｅｒ  Ｓｉｌｉｃｏｎｅｓ社のＳＦ１１７３、ＳＦ１２０２、ＳＦ１２１７、ＳＦ１２０４およびＳＦ１２５８、（２）ジメチコン、例えば、Ｂａｙｓｉｌｏｎｅ  Ｍオイル（Ｍ３〜Ｍ２，０００，０００）、ＧＥ  Ｂａｙｅｒ  Ｓｉｌｉｃｏｎｅｓ／Ｍｏｍｅｎｔｉｖｅ  Ｐｅｒｆｏｒｍａｎｃｅ  Ｍａｔｅｒｉａｌｓ社からのＳＥ３０、ＳＦ１２１４、ＳＦ１２３６、ＳＦ１２７６およびＣＦ１２５１、（３）およびジメチコノール、例えば、ベイシロン、ＧＥ  Ｂａｙｅｒ  Ｓｉｌｉｃｏｎｅｓ／Ｍｏｍｅｎｔｉｖｅ  Ｐｅｒｆｏｒｍａｎｃｅ  Ｍａｔｅｒｉａｌｓ社からのＳｉＯＨ末端「ガム」、およびＤｏｗ  Ｃｏｒｎｉｎｇ社からＤＣ１５０１およびＤＣ１５０３のようなジメチコノールである。
【０１３４】
本発明のポリカーボネート及び又はポリウレタンのポリ有機シロキサン化合物の乳液と、非イオン性、アニオン性、カチオン性乳液（例えば、ＧＥ  Ｂａｙｅｒ  Ｓｉｌｉｃｏｎｅｓ／Ｍｏｍｅｎｔｉｖｅ  Ｐｅｒｆｏｒｍａｎｃｅ  Ｍａｔｅｒｉａｌｓ社からのＳＭ２１６９、ＳＭ２７８５、ＳＭ５５５、ＳＭ２１６７およびＳＭ２１１２）の形態での上述のポリジメチルシロキサンとの組み合わせ、および／または本発明のポリカーボネート及び又はポリウレタンのポリ有機シロキサン化合物を有する上述のポリジメチルシロキサンの混合液および溶液の使用が特に好ましい。それは、現在までに公知のアミノ官能性シリコンの文献に広く記載されているヘアケア製品の特徴はこれらの組み合わせに由来するからである（国際公開第９９／４４５６５号、国際公開第９９／４４５６７号、国際公開第９９／４９８３６号、国際公開第９９／５３８８９号、国際公開第９７／１２５９４号、米国特許第６，０２８，０３１号、欧州特許出願公開第０８１１３７１号、国際公開第９８／１８４４３号、国際公開第９８／４３５９９号および米国特許第２００２−０１８２１６１号）。
固体シリコン、いわゆるＭＱ樹脂（例えばＧＥ  Ｂａｙｅｒ  Ｓｉｌｉｃｏｎｅｓ／Ｍｏｍｅｎｔｉｖｅ  Ｐｅｒｆｏｒｍａｎｃｅ  Ｍａｔｅｒｉａｌｓ社のＳＲ  １０００）および、上記のシリコンおよび脂肪族溶媒（例えばイソドデカン）などの溶媒溶液も同様に適切である。
【０１３５】
アルキル、アリル、アリルアルキル、フェニル、フルオロアルキル等の有機官能性シリコンおよびポリエーテルで修飾されたシリコン、例えば、ＧＥ  Ｂａｙｅｒ  Ｓｉｌｉｃｏｎｅｓ／Ｍｏｍｅｎｔｉｖｅ  Ｐｅｒｆｏｒｍａｎｃｅ  Ｍａｔｅｒｉａｌｓ社からのＳＦ１６３２、ＳＦ１６４２、ＳＦ１５５５、Ｂａｙｓｉｌｏｎｅ  ＣＦ１３０１、Ｂａｙｓｉｌｏｎｅ  ＰＫ  ２０、ＦＦ１５７、ＳＦ１１８８Ａ、ＳＦ１２８８およびＳＦ１３８８も同様に適切である。
【０１３６】
界面活性剤
化粧品製剤の成分としての界面活性剤は以下の文献に記載される。Ａ．Ｄｏｍｓｃｈ：Ｄｉｅ  ｋｏｓｍｅｔｉｓｃｈｅｎ  Ｐｒaｐａｒａｔｅ，  Ｖｅｒｌａｇ  ｆuｒ  Ｃｈｅｍ．Ｉｎｄｕｓｔｒｉｅ、第４版、１９９２年、ｉｎ  Ｋｏｓｍｅｔｉｋｊａｈｒｂｕｃｈ  １９９５年、Ｖｅｒｌａｇ  ｆuｒ  ｃｈｅｍｉｓｃｈｅ  Ｉｎｄｕｓｔｒｉｅ，  １９９５年、および、Ｈ．  Ｓｔａｃｈｅ，  Ｔｅｎｓｉｄｔａｓｃｈｅｎｂｕｃｈ、第２版、Ｃａｒｌ  Ｈａｎｓｅｒ  Ｖｅｒｌａｇ、１９８１年。
【０１３７】
アニオン性界面活性剤
以下のアニオン性界面活性剤は、製剤の構成要素として適切であり、例示されるが、これらに限定されない。
アルキル硫酸塩、アルキルエーテル硫酸塩、アルカリル硫酸塩、オレフィンスルホン酸塩、アルキルアミドエーテル硫酸塩、アシルイセチオン酸、アシルグルタミン酸塩、アルキルエーテルカルボン酸塩、メチルタウリドおよびタウリド、サルコシド、スルホコハク酸塩、タンパク質脂肪酸凝縮物、アルキルリン酸塩、アルキルエーテルリン酸塩である。ここでは、遊離酸およびアルカリ金属塩およびマグネシウム、アンモニウムおよびそれらのモノエタノールアミン塩、ジエタノールアミン塩、トリエタノールアミン塩が使用できる。
アルキル基およびアシル基は通常８〜１８の炭素原子を含有し、不飽和であってもよい。アルキルエーテル硫酸塩、アルキルアミドエーテル硫酸塩、アルキルエーテルカルボン酸塩およびアルキルエーテルリン酸塩は、１〜１０のエチレンオキシド単位またはプロピレンオキシド単位またはエチレンオキシド単位およびプロピレンオキシド単位の組み合わせを含有することができる。
【０１３８】
両性界面活性剤：
以下の両性界面活性剤は、製剤の構成要素として適切であり、例示されるが、これらに限定されない。
アルキルベタイン、アルキルアミドベタイン、スルホベタイン、酢酸および二酢酸、イミダゾリン、プロピオネートおよびアルキルアミンオキシドである。 
ここでは、アルキル基およびアシル基は通常８〜１９の炭素原子を含有する。
【０１３９】
非イオン性界面活性剤
以下の非イオン性界面活性剤は、製剤の構成要素として適切であり、例示されるが、これらに限定されない。
アルキルエトキシレート、アリルエトキシレート、エトキシレート化エステル、ポリグリコールアミド、ポリソルベート、グリセロール脂肪酸エトキシレート、アルキルフェノールポリグリコールエーテルおよびアルキルグリコシドのような糖界面活性剤である。
【０１４０】
カチオン性界面活性剤
カチオン性界面活性剤は、純カチオン性界面活性剤とカチオン性ポリマーに分類される。
【０１４１】
純カチオン性界面活性剤
以下の非イオン性界面活性剤は、製剤の構成要素として適切であり、例示されるが、これらに限定されない。
モノアルキルｑｕａｔ、ジアルキルｑｕａｔ、トリアルキルｑｕａｔ、テトラアルキルｑｕａｔ、ベンジルアンモニウム塩、ピリジン塩、アルカノールアンモニウム塩、イミダゾリン塩、オキサゾリン塩、チアゾリン塩、アミンオキシド塩およびスルホン塩、ここで「ｑｕａｔ」は少なくとも１つの第四級アンモニウム基の存在を示唆する。
【０１４２】
カチオン性ポリマー
特に「２イン１」シャンプーに関し、純カチオン性界面活性剤に加えて、カチオン性に変性されたポリマーも使用される。これらのポリマーは、米国特許第５，９７７，０３８号および国際公開第０１−４１７２０Ａ１号に包括的に記載されている。カチオン性ポリアクリルアミド、カチオン性タンパク質誘導体、ヒドロキシアルキルセルローズエーテルおよびカチオン性グア誘導体がここでは好ましい。グアヒドロキシプロピルトリモニウムクロリドのＣＴＦＡ名を有するカチオン性グア誘導体が特に好ましい。これらの型は、商標名コスメディアグアＣ２６１（ヘンケル社）、ダイアガムＰ５０７０（ダイアモルト社）およびローディア社からのジャガーＣ型およびジャガーＥＸＣＥＬで得られる。
【０１４３】
補助物質
特に化粧品製剤の成分としての補助物質は以下に記載される。Ａ．Ｄｏｍｓｃｈ，Ｄｉｅ  ｋｏｓｍｅｔｉｓｃｈｅｎ  Ｐｒaｐａｒａｔｅ，  Ｖｅｒｌａｇ  ｆuｒ  Ｃｈｅｍ．および、Ｉｎｄｕｓｔｒｉｅ、第４版、１９９２年；およびＫｏｓｍｅｔｉｋｊａｈｒｂｕｃｈ、１９９５年、Ｖｅｒｌａｇ  ｆuｒ  Ｃｈｅｍｉｓｃｈｅ  Ｉｎｄｕｓｔｒｉｅ、１９９５年。
以下の補助物質は、製剤の構成要素として適切であり、例示されるが、これらに限定されない。
【０１４４】
無機および有機酸、塩基および緩衝剤、塩、エタノール、イソプロパノール、エチレングリコール、ポリエチレングリコール、プロピレングリコール、ポリプロピレングリコール、グリコールエーテルおよびグリセロールなどのアルコール、増粘剤、キサンタンガムなどのエマルション安定剤、給油剤、防腐剤、泡安定剤、消泡剤、グリコールジステアリン酸、二酸化チタン、コラーゲン加水分解物、ケラチン加水分解物、シルク加水分解物などの真珠光沢剤および乳白剤、亜鉛ピリチオン、サリチル酸、二硫化セレン、硫黄およびタール調合液などのふけ防止活性化合物、ポリマー乳化剤、ビタミン、染料、ＵＶフィルター、ベントナイト、香油、香料、スタイリングポリマー、保湿剤、植物抽出液およびさらに天然原材料または天然と同一の原材料。
ケラチン含有物質（例えば、人間および動物の毛髪）のケアおよび処理のために化粧品製剤に油溶性および水溶性ＵＶフィルターまたはＵＶフィルターの組み合わせを加えることによって、染料の劣化およびそのため色の付いたケラチン含有物質の紫外線による漂白および色あせを確実に減少させるまたは完全に防げることが知られている。
【０１４５】
ヘアカラリング組成物成分
ヘアカラリング組成物の染料および他の成分は以下に記載される。Ａ．Ｄｏｍｓｃｈ，Ｄｉｅ  ｋｏｓｍｅｔｉｓｃｈｅｎ  Ｐｒaｐａｒａｔｅ，  Ｖｅｒｌａｇ  ｆuｒ  Ｃｈｅｍ．Ｉｎｄｕｓｔｒｉｅ、第４版、１９９２年。染料は以下に記載される。化粧品についての法律（化粧品法）、Ｂｕｎｄｅｓｇｅｓｅｔｚｂｌａｔｔ、１９９７年、第１部、第３章、２４１２ページおよび付属書３、およびヨーロッパコミュニティ（ＥＣ）指令７６／６８／ＥＣＣ、付属書ＩＶ。
【０１４６】
以下では、ヘアカラリング組成物がパーマネント、セミパーマネントおよび一時的なヘアカラリング組成物に分類される。
【０１４７】
パーマネントヘアカラリング組成
ヘアを数回（１０回以上）洗髪しても洗い流されないパーマネント染料が、過酸化水素による酸化条件下の染料前駆体間の化学反応によって形成される。対応する成分の混合物が結果的に得られる色を決定する。前駆体は、酸化ベース（展開液）とカップリング成分（変性剤）に分類される。 
【０１４８】
酸化ベース
以下の酸化ベースが、製剤の構成要素として適切であり、例示されるが、これらに限定されない。
ｍ−およびｐ−フェニレンジアミン（ジアミノベンゼン）、そのＮ−置換誘導体および塩、ｏ−フェニレンジアミンのＮ−置換誘導体、ｏ−、ｍ−およびｐ−トルイレンジアミン（メチルジアミノベンゼン）、そのＮ−置換誘導体および塩、ｐ−アミノジフェニルアミンおよびその塩酸塩および硫酸塩、ｏ−、ｍ−およびｐ−アミノフェノールおよびその塩酸塩、２，４−ジアミノイソサルフェイト（４−メトキシ−ｍ−フェニレンジアミンサルフェイト）、ｏ−クロロ−ｐ−フェニレンジアミンサルフェイト、（２，４−ジニトロ−６−アミノフェノール）ピクラミン酸および２，４−ジニトロ−１−ナフトールスルホン酸およびそのナトリウム塩である。
【０１４９】
カップリング成分
以下のカップリング成分は、製剤の構成要素として適切であり、例示されるが、これらに限定されない。
ヒドロキノン（１，４−ジヒドロキシベンゼン）、レゾルシノール（１，３−ジヒドロキシベンゼン）、ピロカテコール（１，２−ジヒドロキシベンゼン）、α−ナフトール（１−ヒドロキシナフタレン）、ピロガロール（１，２，３−トリヒドロキシベンゼン）および２，６−ジアミノピリジン。
【０１５０】
酸化ベースおよびカップリング成分は、従来は界面活性剤と共に水中油型エマルションに組み込まれるが、単なる溶液またはシャンプーも製剤として知られている。さらに、製剤は、前駆体を安定させるために酸化防止剤、例えば、亜硫酸ナトリウム、亜ジチオン酸ナトリウム、アスコルビン酸またはチオグリコール酸を含有し、アンモニアのようなアルカリ物質でｐＨが８と１２の間（好ましくは９と１１の間）になるように調整される。界面活性剤としての湿潤剤、重金属用錯化剤、アンモニア臭を隠す香料、ヘアの感触の向上およびヘアの保護のためのコンディショナー、および、エタノール、エチレングリコール、グリセロールまたはベンジルアルコールのような溶媒がさらに添加される。
【０１５１】
パーマネントヘアカラリング組成物は、通常、上述のカラー溶液、クリームまたはシャンプーと展開溶液とを含む２成分系として提供される。ここでの展開溶液は過酸化水素を６〜１２％含み、カラー成分を含有する製剤の構成要素が適宜添加されてもよい。しかし、ここで過酸化溶液は完全に安定化されなければならない。
【０１５２】
セミパーマネントヘアカラリング組成
セミパーマネントカラリングは、シャンプーで６〜１０回洗髪してもカラリングを維持するように開発された。本来、ニトロ、アゾおよびアントラキノン染料の群に属する、いわゆる直吸収染料がここでは使用される。これらの染料は毛髪に浸透するのに充分小さい。通常使用される製剤は、溶液、クリーム、シャンプーまたはエアゾール泡である。この組成物は、パーマネントヘアカラリングとしてのカラー成分を含有する製剤に相当する。
【０１５３】
一時的ヘアカラリング組成
セミパーマネントヘアカラリング組成物と対照的に、一時的カラリング（ティントとも呼ばれる）は、ヘアに浸透することができない大き目の染料分子を含有する。一時的カラリングは、シャンプーで１〜６回洗髪してもカラリングを維持するように開発された。ここでは、アゾおよび塩基性染料およびアジンおよびチアジン誘導体が通常使用される。セミパーマネントおよびパーマネントヘアカラリング組成物について述べられたことはこの製剤の組成に適用される。ヘアカラリング組成物の染料および他の成分は以下に記載される。Ａ．Ｄｏｍｓｃｈ，Ｄｉｅ  ｋｏｓｍｅｔｉｓｃｈｅｎ  Ｐｒaｐａｒａｔｅ，  Ｖｅｒｌａｇ  ｆuｒ  Ｃｈｅｍ．インダストリ（Ｉｎｄｕｓｔｒｉｅ）第４版、１９９２年。染料は以下に記載される。化粧品についての法律（化粧品法）、ブンデスゲセツブラット（Ｂｕｎｄｅｓｇｅｓｅｔｚｂｌａｔｔ）１９９７年、第１部、第３章、２４１２ページおよび付属書３、およびヨーロッパコミュニティ（ＥＣ）指令７６／６８／ＥＣＣ、付属書ＩＶ。
【０１５４】
機能的に活性な化合物がそれぞれ個別の化合物または数種の化合物の混合物とされる以下の処方は、本発明のポリカーボネートおよび／またはポリウレタンのポリ有機シロキサン化合物を含有する混合物を、化粧品製剤で使用することに対して特に有利であることが分かったが、本発明を限定するものではない。 
【０１５５】
ヘアケアおよびコンディショニングのための、本発明による通常のシャンプー製剤は、製剤総量に対して以下の構成（重量％）を含むが、本発明を限定するものではない。
【０１５６】
０．０１〜１０％  本発明のポリカーボネートおよび／またはポリウレタンのポリ有機シロキサン化合物
２〜１５％  アニオン性界面活性剤
０〜１０％  両性界面活性剤
０〜１５％  非イオン性界面活性剤
０〜１０％  カチオン性界面活性剤
０〜１０％  シリコンコンディショニング剤（コアジュバント）
０〜１０％  補助物質
１００％になるまで満たされた水
【０１５７】
特定のシャンプー製剤は以下の構成（重量％）を含むが、本発明を限定するものではない。
０．１〜１２％  本発明のポリカーボネートおよび／またはポリウレタンのポリ有機シロキサン化合物
１〜３５％  ラウリル硫酸ナトリウムまたはアンモニウム、またはラウレス硫酸ナトリウムまたはアンモニウム（２０〜３０％）
１〜６％  ココアミドプロピルベタイン（２５〜３５％）
０〜３％  グアヒドロキシプロピルトリモニウムクロリド
０〜５％  ポリクオタニウム−１０
０〜１２％  シリコンコンディショニング剤（コアジュバント）
０．０１〜１％  二ナトリウムＥＤＴＡ
０．０１〜１％  フェノキシエチノール（および）メチルパラベン（および）ブチルパラベン（および）エチルパラベン（および）プロピルパラベン
０〜１％  香水（香料）
０〜１％  染料
０〜１％  クエン酸
０〜２％  塩化ナトリウム
１００％になるまで満たされた水
【０１５８】
ヘアケアおよびコンディショニングのための、本発明による通常のヘアリンスは、以下の構成（重量％）を含むが、本発明を限定するものではない。
０．１〜１５％  本発明のポリカーボネートおよび／またはポリウレタンのポリ有機シロキサン化合物
０〜１０％  両性界面活性剤
０．１〜１５％  非イオン性界面活性剤
０〜１０％  カチオン性界面活性剤
０〜１５％  シリコンコンディショニング剤（コアジュバント）
０〜２０％  補助物質
１００％になるまで満たされた水
【０１５９】
特定のヘアリンス組成物は以下の構成（重量％）を含むが、本発明を限定するものではない。
０．５〜１５％  本発明のポリカーボネートおよび／またはポリウレタンのポリ有機シロキサン化合物（非イオン性乳化剤による、水中での強度４３．５％の乳液として）
０〜１５％  シリコンコンディショニング剤（コアジュバント）
０〜１０％  塩化セトリモニウム（２５〜３５％）
０〜３％  グアヒドロキシプロピルトリモニウムクロリド
１〜１０％  セテアリルアルコール
０〜１０％  グリセロール
０．０１〜１％  フェノキシエチノール（および）メチルパラベン（および）ブチルパラベン（および）エチルパラベン（および）プロピルパラベン
０〜１％  香水（香料）
０〜１％  染料
０〜１％  クエン酸
１００％になるまで満たされた水
【０１６０】
ヘアケアおよびコンディショニングのための、本発明による通常のヘアケアトリートメントは、以下の構成（重量％）を含むが、本発明を限定するものではない。
０．４〜２０％  本発明のポリカーボネートおよび／またはポリウレタンのポリ有機シロキサン化合物
０．１〜１５％  非イオン性界面活性剤
０〜１０％  カチオン性界面活性剤
０〜２０％  シリコンコンディショニング剤（コアジュバント）
０〜２０％  補助物質
１００％になるまで満たされた水
【０１６１】
特定のヘアケアトリートメントは以下の構成（重量％）を含むが、本発明を限定するものではない。
１〜２０％  本発明のポリカーボネートおよび／またはポリウレタンのポリ有機シロキサン化合物（非イオン性乳化剤による、水中での強度４３．５％の乳液として）
０．５〜１０％  ステアリルアルコール（および）ステアレス−７（および）ステアレス−１０
０〜２０％  シリコンコンディショニング剤（コアジュバント）
０〜１０％  塩化セトリモニウム（２５〜３５％）
０〜３％  グアヒドロキシプロピルトリモニウムクロリド
０〜５％  ジメチコン
０〜５％  パラフィン油
１〜１０％  ステアリルアルコール
０〜１０％  グリセロール
０．０１〜１％  フェノキシエチノール（および）メチルパラベン（および）ブチルパラベン（および）エチルパラベン（および）プロピルパラベン
０〜１％  香水（香料）
０〜１％  染料
０〜１％  クエン酸
０〜２％  塩化ナトリウム
１００％になるまで満たされた水
【０１６２】
極めて特定のヘアケアトリートメントは以下の構成（重量％）を含むが、本発明を限定するものではない。
２〜５％  本発明のポリカーボネートおよび／またはポリウレタンのポリ有機シロキサン化合物（非イオン性乳化剤による、水中での強度４３．５％の乳液として）
０〜５％  シリコンコンディショニング剤（コアジュバント）
０〜２％  塩化セトリモニウム（２５〜３５％）
０．５〜５％  グリセロール
０．２５〜２．５％  プロピレングリコール
０．０５〜０．２％  香水
０．１〜０．５％  ポリソルベート２０
１００％になるまで満たされた水
【０１６３】
一時的、セミパーマネントまたはパーネントヘアカラリング、ヘアケアおよびコンディショニング用の、本発明による通常の染料含有製剤は、以下の構成（重量％）を含むが、本発明を限定するものではない。
０．１〜１０％  本発明のポリカーボネートおよび／またはポリウレタンのポリ有機シロキサン化合物
１〜１０％  所望のヘアカラーによるヘア染料前駆体または染料
０〜１５％  アニオン性界面活性剤
０〜１０％  両性界面活性剤
０．１〜１０％  非イオン性界面活性剤
０〜１０％  カチオン性界面活性剤
０〜１％  亜硫酸ナトリウム
０〜５％  緩衝剤
０〜１０％  シリコンコンディショニング剤（コアジュバント）
０〜１０％  補助物質
１００％まで  水
【０１６４】
パーマネントヘアカラリングのための、本発明による特定のカラークリームは、以下の構成（重量％）を含むが、本発明を限定するものではない。
０．１〜１０％  本発明のポリカーボネートおよび／またはポリウレタンのポリ有機シロキサン化合物（非イオン性乳化剤による、水中での強度２０％の乳液として）
１〜５％  所望のヘアカラーによるヘア染料前駆体または染料
２〜１５％  アニオン性界面活性剤
０〜１０％  両性界面活性剤
０．１〜１０％  非イオン性界面活性剤
０〜１０％  カチオン性界面活性剤
０．１〜１％  亜硫酸ナトリウム
０．１〜５％  ｐＨ＝８〜１２の緩衝剤
０〜１０％  シリコンコンディショニング剤（コアジュバント）
０〜１０％  補助物質
１００％まで  水
【０１６５】
パーマネントヘアカラリングのための、本発明による特定のカラー溶液は、以下の構成（重量％）を含むが、本発明を限定するものではない。
０．１〜１０％  本発明のポリカーボネートおよび／またはポリウレタンのポリ有機シロキサン化合物（非イオン性乳化剤による、水中での強度２０％の乳液として）
１〜５％  所望のヘアカラーによるヘア染料前駆体または染料
０．１〜１％  亜硫酸ナトリウム
５〜１５％  プロピレングリコール
５〜１５％  アンモニア（２８％）
１０〜３０％  オレイン酸
５〜１５％  イソプロパノール
１０〜３０％  アルカノールアミド
０〜１０％  シリコンコンディショニング剤（コアジュバント）
１００％まで  水
【０１６６】
パーマネントヘアカラリングのための、本発明による通常の展開剤製剤は、以下の構成（重量％）を含むが、本発明を限定するものではない。
０．１〜１０％  本発明のポリカーボネートおよび／またはポリウレタンのポリ有機シロキサン化合物
１０〜３０％  過酸化水素（３０％）
０〜１５％  アニオン性界面活性剤
０〜１０％  両性界面活性剤
０〜１０％  非イオン性界面活性剤
０〜１０％  カチオン性界面活性剤
０〜５％  ｐＨ＝２〜６の緩衝剤または酸
０〜１０％  シリコンコンディショニング剤（コアジュバント）
０〜１０％  補助物質
１００％まで  水
【０１６７】
パーマネントヘアカラリングのための、本発明による特定の展開剤クリームは、以下の構成（重量％）を含むが、本発明を限定するものではない。
０．１〜５％  本発明のポリカーボネートおよび／またはポリウレタンのポリ有機シロキサン化合物（非イオン性乳化剤による、水中での強度２０％の乳液として）
１０〜３０％  過酸化水素（３０％）
０〜５％  シリコンコンディショニング剤（コアジュバント）
1〜１０％  セテアリルアルコール
０．５〜５％  トリデセス−２−カルボキサミド  ＭＥＡ
０．５〜５％  セテアレス−３０
０．５〜５％  グリセロール
０．０５〜２％  ペンテト酸５ナトリウム（ジエチレントリアミン５ナトリウム−５酢酸）
０．０５〜２％  スズ酸ナトリウム
０．０５〜２％  ピロリン酸４ナトリウム
１００％まで  水
【０１６８】
本発明による溶液または混合物は、化粧品製剤の生成、例えば、色付けされた物質または色付けされることになっている物質のトリートメント、コンディショニング、洗浄および／またはケアのために好ましいことが発見された。
すなわち、本発明のポリカーボネートおよび／またはポリウレタンのポリ有機シロキサン化合物を少なくとも１つ含有する製剤は、繊維状または平面状基材の洗浄、ケアおよびコンディショニングに特に用いられる。これらが色付けされる場合は、それらのカラー印象はかなり維持されるはずである。 
【０１６９】
さらに、本発明のポリカーボネートおよび／またはポリウレタンのポリ有機シロキサン化合物を少なくとも１つ含有する製剤は、ケラチン含有物質の洗浄、ケアおよびトリートメントおよびコンディショニングに役立つ。というのは、羊毛用、ワックス用、および／または、ボリュームおよび／または櫛通りの良さおよび／または輝きを増やすため、および／または、例えば人間および動物の毛髪のような色付けされるケラチン含有物質から、または、同時に色付けされるはずのケラチン含有物質から色が流れ出るのを減らすための洗浄組成物として適しているからである。
【０１７０】
さらに、本発明のポリカーボネートおよび／またはポリウレタンのポリ有機シロキサン化合物を少なくとも１つ含有する製剤は、カラリングの作業前、作業中、作業後、ケラチン含有繊維または毛髪の洗浄、ケアおよびトリートメントのために特に使用されることができる。というのは、これらで生成されたヘアカラリング組成物は、柔らかさの向上、および／または、塗れた状態および乾いた状態でのコーミング力の減少、および／または、輝きの増加、および／または、ヘアボリュームの増加、および／または、薄く色付けされたまたは色付けされたヘアから染料を洗い流すことを減少に、同時に導くからである。
【０１７１】
柔軟剤製剤
形態に関し、本発明のポリカーボネートおよび／またはポリウレタンのポリ有機シロキサン化合物を不透明柔軟剤分散液または柔軟剤乳液または透明マイクロエマルションまたは溶液に組み入れることが、一方で可能である。
このような不透明または透明製剤用の通常成分は、
・柔軟剤として、第四級アンモニウム化合物、好ましくは、アルカン酸エステル単位を含有する第四級アンモニウム化合物、
・製剤の溶解度および透明性を向上させるための有機溶媒、好ましくは、一価アルコールおよび多価アルコール、例えばエタノール、２−プロパノール、エチレングリコール、１，２−プロピレングリコール、へキシレングリコール、ジプロピレングリコール、エステルおよびグリコールとオリゴグリコールのエーテル、例えば、ジプロピレングリコールモノブチルエーテル、トリプロピレンモノメチルエーテル、ジエチレングリコールジアセテート、
・柔軟剤成分の可溶性を向上させるための、長鎖炭化水素のジオールおよび高級アルコール、例えば、２，２，４−トリメチル−１，３−ペンタンジオール、
・乳液安定化またはマイクロエマルション生成のための非イオン性界面活性剤、好ましくは、Ｃ８〜Ｃ４０の分岐または非分岐アルコールのアルコキシレートおよびアルキレンオキシドの脂肪酸エステル、
・香水、
・粘度調整剤、
・染料
・防腐剤、である。
記載された追加の機能性成分および好ましい代表的なものは、例えば米国特許第６３７６４５５号から公知である。
【０１７２】
他方、本発明のポリカーボネートおよび／またはポリウレタンのポリ有機シロキサン化合物を洗濯物消臭剤系の固体担体に適用し、その後、消臭されるべき、または、柔らかくされるべき織物と洗濯物乾燥機中で接触させることが可能である担体の洗濯物消臭剤系およびそれらの機能性成分は、例えば、米国特許第４８２４５８２号、米国特許第４８０８０８６号、米国特許第４７６８５０号、米国特許第４７４９５９６号および米国特許第３６８６０２５号から公知である。
このような担体の洗濯物消臭剤系の通常成分は、
・コンディショニング剤として、脂肪族アミンまたはそのアニオン性界面活性剤との錯体、
・柔軟剤として、第四級アンモニウム化合物、好ましくは、アルカン酸エステル単位を含有する第四級アンモニウム化合物
・非イオン性柔軟剤、例えば、ソルビタンエステル、脂肪アルコールアルコキシレートを基にしたもの
・「防汚剤」、例えば、セルローズエーテル、グアガム、テレフタル酸ブロック共重合体を基にしたものである。
【０１７３】
担体材料は、洗濯物消臭剤製剤を十分吸収できるキャパシティのあるスポンジ状、または多孔シート状材料である。「織物」および「非織物」材料が用いられる。材料は天然または合成ポリマー、例えば、羊毛、綿、サイザル麻、麻、セルロースエステル、ポリビニル化合物、ポリオレフィン、ポリアミド、ポリウレタンおよびポリエステルに基づく。  
【０１７４】
さらに、本発明は、少なくとも１つの式（１０）の化合物
【０１７５】
【化３４】
0005624883.tif 000034
（１０）
｛式中、ＳＴはＳＴ１またはＳＴ２（上記で定義される通り）であり、ＹはＹ１またはＹ２（上記で定義される通り）であり、ＳＴ５またはＳＴ６は上記で定義される通りである｝と、
少なくとも１つの下記式の化合物
Ｈ−Ｙ−ＳＴ−Ｙ−Ｈ
｛式中、ＳＴはＳＴ１またはＳＴ２（上記で定義される通り）であり、Ｙは上記で定義される通りである｝とを含む反応性組成物に関する。
ただし、基ＳＴの少なくとも１つはポリ有機シロキサン基を含む。
【０１７６】
本発明の反応性組成物の好適な実施形態では、Ｙ＝ＮＲ２であり、式中Ｒ２は上記で定義される通りで、好ましくは水素であり、ＳＴ５およびＳＴ６はそれぞれ−ＣＨ２−である。
さらに、本発明は、少なくとも１つの式（１３）の化合物
【０１７７】
【化３５】
0005624883.tif 000035
（１３）
（式中、ＳＴ５、ＳＴ６、Ｙ１およびＳＴ１は上述の通りである）と、
少なくとも１つの下記式の化合物
ＨＹ２−ＳＴ３−ＮＲ５２
（式中、ＳＴ３、Ｙ２およびＲ５は上記で定義された通りである）と、
少なくとも１つの下記式の化合物
Ｑ−ＳＴ４Ｖ−Ｑ
（式中、Ｑはアミノ基をアルキル化することができる基であり、ＳＴ４Ｖは四級化反応後のＱ由来の分子部分とともに、基ＳＴ４を形成する）とを含む。
ただし、基ＳＴ１、ＳＴ３および／またはＳＴ４の少なくとも１つはポリ有機シロキサン基を含む。
【０１７８】
上述の反応性組成物において、ＳＴ５およびＳＴ６はそれぞれ−ＣＨ２−であり、Ｙ１およびＹ２はそれぞれ独立に−ＮＲ２−であり、ここでＲ２は上記で定義される通りであり、好ましくは水素である。
【０１７９】
さらに、本発明は、上述の反応性組成物を硬化させることにより得られる硬化組成物に関する。この工程において、コーティングおよびエラストマー成形品が特に形成される。
【０１８０】
上述の硬化組成物は、特に、熱および／または触媒添加によって硬化されることができる。この場合、反応性組成物は、特に１Ｃ（１成分）組成物として用いられる。より好ましくはないが、２Ｃ（２成分）組成物としても用いられる。
【０１８１】
さらに、本発明は、式（１２）の新規化合物
【０１８２】
【化３６】
0005624883.tif 000036
（１２）
｛式中、ＳＴはＳＴ１またはＳＴ２（上記で定義される通り）であり、ＹはＹ１またはＹ２（上記で定義される通り）であり、ＳＴ５またはＳＴ６は上記で定義される通りである｝に関する。
ただし、基ＳＴは少なくとも１つのポリ有機シロキサン基を含み、反応性組成物にて使用されてもよい。
【０１８３】
上記化合物において、ＳＴは好ましくはＳＴ１（上記で定義される通り）であり、ＳＴ５およびＳＴ６はそれぞれ−ＣＨ２−であり、Ｙは好ましくはＹ１であり、好ましくはＮＲ２であり、ここでＲ２は上記で定義される通り、好ましくは水素である。
【０１８４】
ＳＴが特に三価基または四価基であるより高機能化された化合物を使用することによって、ポリカーボネートおよび／またはポリウレタンのポリ有機シロキサン化合物の分岐／架橋が起こる。例えば、硬度および弾性のような各種使用パラメータは、特にこの手段で設定可能である。
本発明は、さらに以下の実施例により示される。
【発明を実施するための形態】
【実施例１】
【０１８５】
下記構造のフェノールエステル５．２ｇ（０．０２２モル）と、
【０１８６】
【化３７】
0005624883.tif 000037
下記構造のアミノシロキサン４９ｇと、
【０１８７】
【化３８】
0005624883.tif 000038
１−ブタノール１５ｇを、窒素雰囲気下のフラスコ内で混合させた。
混合物は１２０度で９時間加熱され、反応中にフェノールが分離し、下記式の化合物を含有する反応混合物ができる。
【０１８８】
【化３９】
0005624883.tif 000039
その後、Ｈ２ＮＣＨ２ＣＨ２ＣＨ２Ｎ（ＣＨ３）２２．０４ｇ（０．０２モル）を加え、その混合物をさらに１２０度で９時間加熱した。
最後に、下記構造のエステル２．５９ｇ（０．０１モル）
【０１８９】
【化４０】
0005624883.tif 000040
を滴下し、混合物をさらに１２０度で１８時間攪拌した。
【０１９０】
反応の結果、分離された生産物として、フェノールに加えて下記構造要素を含むポリマーが得られた。
【０１９１】
【化４１】
0005624883.tif 000041
式中、ＳＴ１＝
【０１９２】
【化４２】
0005624883.tif 000042
ＳＴ４＝
【０１９３】
【化４３】
0005624883.tif 000043
ＳＴ３＝ＣＨ２ＣＨ２ＣＨ２
である。
【実施例２】
【０１９４】
下記構造のカーボネート
【０１９５】
【化４４】
0005624883.tif 000044
式中、ａ＋ｃ＝３．６およびｂ＝９、を末端に有するポリアルキレンオキシド誘導体７．３６ｇ（８．０４モル）と、
下記構造
【０１９６】
【化４５】
0005624883.tif 000045
から生成されたＣＯＣｌ２およびＪｅｆｆａｍｉｎ  ＥＤ６００（Ｈｕｎｔｓｍａｎ  Ｃｏｒｐ）と、
Ｈ２ＮＣＨ２ＣＨ２ＣＨ２Ｎ（ＣＨ３）２１．６９ｇ（１６．１モル）および
プロピレングリコールモノメチルエーテルとを、まず窒素雰囲気下のフラスコに入れ、混合物を１１６度から１１８度で１５時間、攪拌しながら加熱した。
その後、下記構造
【０１９７】
【化４６】
0005624883.tif 000046
のエポキシシロキサン５０ｇ（８．０４ミリモル）、脱イオン水１ｇおよび酢酸０．９７ｇ（１６．１ミリモル）の混合物を加えた。これらの総混合物を１１６度から１２０度で１０時間加熱した。
【０１９８】
反応の結果、下記構造要素を含むポリマーが得られた。
【０１９９】
【化４７】
0005624883.tif 000047
式中、
Ａｃ−＝ＣＨ３ＣＯＯ−
ＳＴ１＝
【０２００】
【化４８】
0005624883.tif 000048
ａ＋ｃ＝３．６およびｂ＝９、
ＳＴ４＝
【０２０１】
【化４９】
0005624883.tif 000049
ＳＴ３＝ＣＨ２ＣＨ２ＣＨ２である。
【０２０２】
実施例１および実施例２によるポリマーは、０．５〜３％の量で、アニオン性および／または非イオン性界面活性剤系の粉末および液状洗剤に組み込まれ、洗濯される繊維材料に対して特に柔軟作用を及ぼす。